(57)【要約】【課題】本発明は、少なくとも１つの生物学的パラメーターに結果的に生じた変化を同定する方法を提供することを目的とする。【解決手段】本発明は、少なくとも１つの生物学的パラメーターに結果的に生じた変化を同定する方法であって、ａ）ストレス細胞と呼ばれる、ストレスにさらされている生細胞についてｂ）対照細胞と呼ばれる、上記と同様のストレスにさらされていない生細胞についてｃ）三次元組織モデルで用いられる上記２種類の細胞のうち少なくとも１種について比較プロテオーム解析、比較トランスクリプトーム解析及び／又は比較ゲノム解析を行い、ストレスによって変化が生じる少なくとも１つの生物学的パラメーターを結果的に同定することを可能にする方法に実質的に関する。本発明は、活性源をスクリーニングするために上記方法を使用することを含む。【選択図】  なし【特許請求の範囲】
【請求項１】
少なくとも１つの生物学的パラメーターに結果的に生じた変化を同定する方法であって、
ａ）ストレス細胞と呼ばれる、ストレスにさらされている生細胞について
ｂ）対照細胞と呼ばれる、前記と同様のストレスにさらされていない生細胞について
ｃ）三次元組織モデルで用いられる前記２種類の細胞のうち少なくとも１種について
比較プロテオーム解析、比較トランスクリプトーム解析及び／又は比較ゲノム解析を行い、ストレスによって変化が生じる少なくとも１つの生物学的パラメーターを結果的に同定することを可能にすることを特徴とする方法。
【請求項２】
前記対照細胞及び前記ストレス細胞は三次元組織モデルにおいて用いられることを特徴とする請求項１に記載の方法。
【請求項３】
ストレスにさらされる間に変化が生じる前記生物学的パラメーターはストレス細胞と呼ばれる細胞の代謝と対照細胞と呼ばれる細胞の代謝の間の差のうちの少なくとも１つによって定められることを特徴とする請求項１又は２に記載の方法。
【請求項４】
前記ａ）段階が以下の段階：
ａ１）細胞モデル、すなわち単層若しくは懸濁状態において、及び／又は、組織モデル、すなわち三次元状態において対照細胞と呼ばれる細胞を１種以上播種する段階
ａ２）前記モデルをストレスにさらす段階（前記細胞はこのことよりストレス細胞と呼ばれる）
を含むことを特徴とする請求項１、２又は３に記載の方法。
【請求項５】
前記ａ）段階が以下の段階：
ａ１）１種以上の生細胞をストレスにさらす段階（前記細胞はこのことよりストレス細胞と呼ばれる）
ａ２）細胞モデル、すなわち単層若しくは懸濁状態において、及び／又は、組織モデル、すなわち三次元状態において前記ストレス細胞を用いる段階
を含むことを特徴とする請求項１、２又は３に記載の方法。
【請求項６】
前記ストレスは物理的ストレス（ＵＶＡ、ＵＶＢ、日光、赤外線、近赤外線、熱、磁場、マイクロ波及び携帯電話の電波を包含するヘルツ放射線、β、γ及びＸ線を包含する電離放射線、前記の放射線に偶然又は非偶然に暴露される間に受けるストレスから選択されたストレス）、物理化学的ストレス、生物学的ストレス及び／又は力学的ストレスであることを特徴とする請求項１、２、３、４又は５に記載の方法。
【請求項７】
前記ストレス細胞は、
・当業者には試料となるであろうことが公知の、手や顔等の日光にさらされている部位から採取される生検材料由来の細胞
・物理的ストレス（ＵＶＡ、ＵＶＢ、日光、赤外線、近赤外線、熱、磁場、マイクロ波及び携帯電話の電波を包含するヘルツ放射線、β、γ及びＸ線を包含する電離放射線、前記の放射線に偶然又は非偶然に暴露される間に受けるストレスから選択されたストレス）、物理化学的ストレス、生物学的ストレス及び／又は力学的ストレスによりストレスを受けている細胞
のいずれかであることを特徴とする請求項１、２、３、５又は６に記載の方法。
【請求項８】
前記対照細胞は、胸部、腹部、包皮等の太陽放射によるストレスをあまり受けていない生検材料から取り出した細胞、又は、ＵＶＡ型、ＵＶＢ型、太陽放射型及び／若しくは磁場由来の放射線といった物理的ストレス、化学的ストレス、生物学的ストレス及び／又は力学的ストレス等のストレスを受けていない細胞のいずれかであることを特徴とする請求項１、２、３、４、５、６又は７に記載の方法。
【請求項９】
前記ストレス細胞は少なくとも一体のヒト又は少なくとも一体の動物由来の細胞であることを特徴とする請求項１、２、３、４、５、６、７又は８に記載の方法。
【請求項１０】
前記検討は以下の解析方法：
−プロテオームの特徴の解析方法：二次元電気泳動、タンパク質アレイ及び／又はサイトカインアレイ、及び／又は、複合ＥＬＩＳＡ測定法
−ゲノムの特徴の解析方法：ＤＮＡアレイ、ポリメラーゼ多重連鎖反応（ＰＣＲ−ｍｕｌｔｉｐｌｅｘ）、ポリメラーゼ連鎖反応（ＰＣＲ）及び／又はリアルタイムポリメラーゼ連鎖反応（リアルタイムＰＣＲ）
−トランスクリプトームの特徴の解析方法：ＲＮＡアレイ、ｃＤＮＡアレイ、逆転写ポリメラーゼ多重連鎖反応（ＲＴ−ＰＣＲ−ｍｕｌｔｉｐｌｅｘ）、逆転写ポリメラーゼ連鎖反応（ＲＴ−ＰＣＲ）及び／又はリアルタイム逆転写ポリメラーゼ連鎖反応（リアルタイムＲＴ−ＰＣＲ）
から選択される少なくとも１つの解析を含むことを特徴とする請求項１、２、３、４、５、６、７、８又は９に記載の方法。
【請求項１１】
前記組織モデルは細胞の代謝を少なくとも部分的に維持している条件下で培養及び／又は保存されることを特徴とする請求項１、２、３、４、５、６、７、８、９又は１０に記載の方法。
【請求項１２】
前記組織モデルは少なくとも繊維芽細胞又はケラチノサイトを含むことを特徴とする請求項１、２、３、４、５、６、７、８、９、１０又は１１に記載の方法。
【請求項１３】
前記モデルは、正常、健康若しくは異常細胞、又は、細胞系由来の細胞を含み、前記細胞は好ましくはヒト又は動物由来のものであることを特徴とする請求項１、２、３、４、５、６、７、８、９、１０、１１又は１２に記載の方法。
【請求項１４】
前記組織モデルは以下のモデル：
皮膚の場合は真皮、粘膜の場合は絨毛膜と呼ばれる、主として間質細胞を含む結合性マトリックスモデル、主として上皮細胞から構成される上皮モデル、主としてケラチノサイトから構成される表皮モデル、表皮及び真皮から構成される皮膚モデル、上皮及び絨毛膜から構成される粘膜モデル
から選択されることを特徴とする請求項１、２、３、４、５、６、７、８、９、１０、１１、１２又は１３に記載の方法。
【請求項１５】
前記組織モデルは好ましくは以下のマトリックス担体：
−細胞培養処理した樹脂、又は、合成半透膜、具体的にはニトロセルロース半透膜、ナイロン半透膜、テフロン膜若しくはテフロンスポンジ、ポリカーボネート若しくはポリエチレン、ポリプロピレン若しくはポリエチレンテレフタレート（ＰＥＴ）の半透膜、ＡｎｏｐｏｒｅＴＭ無機半透膜、酢酸セルロース若しくはセルロースエステル（ＨＡＴＦ）の膜、Ｂｉｏｐｏｒｅ−ＣＭＴＭ半透膜又はポリエステル半透膜からなる群より選択される不活性な担体（前記不活性な担体は間質細胞、特に繊維芽細胞を含む）
−間質細胞、特に繊維芽細胞を含む、ヒアルロン酸及び／又はコラーゲン及び／又はフィブロネクチン及び／又は繊維素を基盤とするゲル又は膜
−１つ以上のグリコサミノグリカン類及び／又は最終的にはキトサンを含むことが可能であるコラーゲンから作られる多孔性マトリックス（前記多孔性マトリックスは間質細胞、特に繊維芽細胞を含む）
より選択されるマトリックス担体を含む結合性マトリックス（真皮又は絨毛膜）の組織モデルであることを特徴とする請求項１、２、３、４、５、６、７、８、９、１０、１１、１２、１３又は１４に記載の方法。
【請求項１６】
前記組織モデルは好ましくは以下のマトリックス担体：
−合成半透膜、具体的にはニトロセルロース半透膜、ナイロン半透膜、テフロン膜若しくはテフロンスポンジ、ポリカーボネート若しくはポリエチレン、ポリプロピレン若しくはポリエチレンテレフタレート（ＰＥＴ）の半透膜、ＡｎｏｐｏｒｅＴＭ無機半透膜、酢酸セルロース若しくはセルロースエステル（ＨＡＴＦ）の膜、Ｂｉｏｐｏｒｅ−ＣＭＴＭ半透膜又はポリエステル半透膜からなる群より選択される不活性な担体（前記不活性な担体はあらかじめ間質細胞、特に繊維芽細胞を播種し、その後上皮細胞、及び、特にケラチノサイトを播種したもの、又は、何も播種しないもの）
−あらかじめ間質細胞、特に繊維芽細胞を播種し、その後上皮細胞、及び、特にケラチノサイトを播種した、ヒアルロン酸及び／又はコラーゲン及び／又はフィブロネクチン及び／又は繊維素を基盤とする薄膜又は膜
より選択されるマトリックス担体を含む表皮組織モデル又は上皮組織モデルであることを特徴とする請求項１、２、３、４、５、６、７、８、９、１０、１１、１２、１３又は１４に記載の方法。
【請求項１７】
前記上皮部分に上皮細胞、色素細胞、免疫担当細胞及び神経細胞が更に導入され、前記免疫担当細胞は好ましくはランゲルハンス細胞であることを特徴とする請求項１６に記載の方法。
【請求項１８】
前記組織モデルは好ましくは以下のマトリックス担体：
−合成半透膜、具体的にはニトロセルロース半透膜、ナイロン半透膜、テフロン膜若しくはテフロンスポンジ、ポリカーボネート若しくはポリエチレン、ポリプロピレン若しくはポリエチレンテレフタレート（ＰＥＴ）の半透膜、Ａｎｏｐｏｒｅ無機半透膜、酢酸セルロース若しくはセルロースエステル（ＨＡＴＦ）の膜、Ｂｉｏｐｏｒｅ−ＣＭ半透膜又はポリエステル半透膜からなる群より選択される不活性な担体（前記不活性な担体は間質細胞、特に繊維芽細胞を含む）
−間質細胞、特に繊維芽細胞を含む、コラーゲン及び／又はヒアルロン酸及び／又はフィブロネクチン及び／又は繊維素を基盤とするゲル
−１つ以上のグリコサミノグリカン類及び／又は最終的にはキトサンを含むことが可能であるコラーゲンから作られる多孔性マトリックス（前記多孔性マトリックスは間質細胞、特に繊維芽細胞を統合したものである）
−ヒト又は動物の、上皮を剥がした真皮又は死んだ真皮
−その後前記マトリックス担体に、再構成粘膜を得るために上皮細胞を、又は、再構成皮膚を得るためにケラチノサイトを播種したもの
より選択される真皮の又は絨毛膜のマトリックス担体を含む再構成皮膚又は粘膜の組織モデルであることを特徴とする請求項１、２、３、４、５、６、７、８、９、１０、１１、１２、１３又は１４に記載の方法。
【請求項１９】
用いられる前記組織モデルは更に少なくとも１種の細胞、好ましくは、内皮細胞（ＥＣ）、及び／又は、リンパ球、マクロファージ、樹状細胞等の免疫細胞、及び／又は、脂肪細胞、及び／又は、体毛、髪、皮脂腺等の皮膚の付属器といった種類の細胞が少なくとも１種更に組み込まれたモデルを含むことを特徴とする請求項１、２、３、４、５、６、７、８、９、１０、１１、１２、１３、１４、１５、１６、１７又は１８に記載の方法。
【請求項２０】
請求項１、２、３、４、５、６、７、８、９、１０、１１、１２、１３、１４、１５、１６、１７、１８又は１９に記載のストレスにさらされる間に変化が生じる生物学的パラメーターを少なくとも１つ変換することができる潜在的活性物質を少なくとも１つスクリーニングする請求項１、２、３、４、５、６、７、８、９、１０、１１、１２、１３、１４、１５、１６、１７、１８又は１９に記載の方法の使用。
【請求項２１】
請求項１、２、３、４、５、６、７、８、９、１０、１１、１２、１３、１４、１５、１６、１７、１８又は１９に記載のストレスにさらされる間に変化が生じる生物学的パラメーターの変化を少なくとも１つ防止することができる潜在的活性物質を少なくとも１つスクリーニングする請求項１、２、３、４、５、６、７、８、９、１０、１１、１２、１３、１４、１５、１６、１７、１８又は１９に記載の方法の使用。
【請求項２２】
Ａ／前記潜在的活性物質を、前記潜在的活性物質を作用させるのに十分な時間、請求項１、２、３、４、５、６、７、８、９、１０、１１、１２、１３、１４、１５、１６、１７、１８又は１９に記載の組織モデルに播種した請求項１、２、３、４、５、６、７、８、９、１０、１１、１２、１３、１４、１５、１６、１７、１８又は１９に記載の対照細胞と接触させて配置すること、請求項６及び７のいずれか１つに記載のストレスを与えること
Ｂ／前記細胞における細胞の代謝に対する前記物質の作用を検討するために、部分的に又は完全に、プロテオーム解析、トランスクリプトーム解析及び／又はゲノム解析を行うこと
Ｃ／前記潜在的活性物質の存在下の前記細胞における細胞の代謝を、コントロール細胞と呼ばれる、前記物質の非存在下の前記細胞における細胞の代謝と比較すること
Ｄ／前記潜在的活性物質の活性の有無を明らかにすること、特に生物学的パラメーターの変化を防止するための前記物質の肯定的又は否定的な効果を明らかにすること
を含むことを特徴とする請求項２０又は２１に記載の方法。
【請求項２３】
ａ）変化が生じた生物学的パラメーターを持ったストレスにさらされている細胞、好ましくは請求項４、５、６、７及び９に記載のストレス細胞と呼ばれる細胞を、前記細胞における細胞の代謝に対して前記潜在的活性物質を結果的に作用させるのに十分な時間、少なくとも１つの結果的に活性を持つことになる物質の存在下で培養すること（前記ストレス細胞は請求項１、２、３、４、５、６、７、８、９、１０、１１、１２、１３、１４、１５、１６、１７、１８又は１９に記載の組織モデルに播種される）
ｂ）ａ）段階で培養したストレス細胞について、好ましくは請求項１０に記載の方法で、部分的に又は完全に、プロテオーム解析、トランスクリプトーム解析及び／又はゲノム解析を行うこと
ｃ）ｂ）で行った解析と、コントロール細胞と呼ばれる前記潜在的活性物質の非存在下で培養した生細胞についての、好ましくは請求項１０に記載の方法による、部分的な又は完全な、プロテオーム解析及び／又はゲノム解析とを比較すること
ｄ）ｃ）での解析の比較に続いて、前記ストレスにより変化が生じる生物学的パラメーターを少なくとも１つ変換することができる活性物質を少なくとも１つ結果的に同定すること
を含む、ストレスにさらされる間に変化が生じる生物学的パラメーターを少なくとも１つ変換することができる潜在的活性物質を少なくとも１つ同定する方法。
【請求項２４】
ａ）請求項１、２、３、４、５、６、７、８、９、１０、１１、１２、１３、１４、１５、１６、１７、１８又は１９に記載の組織モデルに播種した請求項１、２、３、４、５、６、７、８、９、１０、１１、１２、１３、１４、１５、１６、１７、１８又は１９に記載の対照細胞と接触させて、前記潜在的活性物質を作用させるのに十分な時間、前記潜在的活性物質を配置すること、請求項６及び７のいずれか１つに記載のストレスを与えること
ｂ）ａ）段階で培養したストレス細胞について、好ましくは請求項１０に記載の方法で、部分的に又は完全に、プロテオーム解析、トランスクリプトーム解析及び／又はゲノム解析を行うこと
ｃ）ｂ）で行った解析と、コントロール細胞と呼ばれる前記潜在的活性物質の非存在下で培養した生細胞についての、好ましくは請求項１０に記載の、部分的な又は完全な、プロテオーム解析、トランスクリプトーム解析及び／又はゲノム解析とを比較すること
ｄ）ｃ）での解析の比較に続いて、ストレスにより変化が生じる少なくとも１つの生物学的パラメーターの変化を防止することができる活性物質を少なくとも１つ結果的に同定すること
を含む、ストレスにさらされる間に変化が生じる生物学的パラメーターの変化を少なくとも１つ防止することができる潜在的活性物質を少なくとも１つ同定する方法。
【請求項２５】
少なくとも１つの化粧組成物及び／又は医薬組成物を調製するための、請求項２０、２１、２２、２３又は２４に記載の方法により選択される活性物質の使用。
【請求項２６】
請求項２０、２１、２２、２３又は２４に記載の方法により選択されることを特徴とする化粧品又は薬学の分野における活性物質。
【請求項２７】
物理的、化学的又は生物学的ストレスを受けている間に変化が生じることが明らかにされた生物学的パラメーターを変換すること、及び／又は、その変化を防止することができ、
前記パラメーターは、「ストレス」細胞と呼ばれる細胞を用いた細胞モデルと、「対照」細胞と呼ばれる細胞を用いた細胞モデルとを比較検討することにより同定されたものであり、
前記モデルの少なくとも１つは繊維芽細胞又はケラチノサイトの少なくともどちらかを含む組織モデルであることを特徴とする活性物質。
【発明の詳細な説明】
【０００１】
【発明の属する技術分野】
本発明は、少なくとも１つの生物学的パラメーターに結果的に生じた変化を同定する方法であって、
ａ）ストレス細胞と呼ばれる、ストレスにさらされている生細胞について
ｂ）対照細胞と呼ばれる、上記と同様のストレスにさらされていない生細胞について
ｃ）三次元組織モデルで用いられる上記２種類の細胞のうち少なくとも１種について
比較プロテオーム解析、比較トランスクリプトーム解析及び／又は比較ゲノム解析を行い、ストレスによって変化が生じる少なくとも１つの生物学的パラメーターを結果的に同定することを可能にする方法に実質的に関する。
【０００２】
本発明は更に、ストレスにさらされる間に変化が生じる生物学的パラメーターを少なくとも１つ変換することができる潜在的活性物質を少なくとも１つ同定する方法、又は、ストレスにさらされる間に変化が生じる生物学的パラメーターの変化を少なくとも１つ防止することに関する。
【０００３】
本発明は更に、少なくとも１つの化粧組成物及び／又は医薬組成物を調製するための、上記の方法により選択される活性物質の使用に関する。
【０００４】
本発明は更に、上記の方法により選択される、化粧品又は薬学の分野における活性物質に関する。
【０００５】
【従来の技術】
太陽放射は、発熱させる赤外線（波長５０００〜８００ｎｍ）を５６％、可視光線（８００〜４００ｎｍ）を３９％、並びに、おおよそＵＶＡを４．９％及びＵＶＢ＋ＵＶＣを０．１％含む紫外線Ａ、Ｂ、Ｃ（４００〜１９０ｎｍ）を５％含む電磁放射から構成される。
−ＵＶＣは非常に有害で、通常オゾン層によって濾過される。
−ＵＶＢは一部、大気圏やガラスを通過することができない。ＵＶＢは表皮までは達するが、真皮には達しない。ＵＶＢは日焼け細胞の存在を特徴とする日焼けを形成するが、日焼け細胞とは、核のＤＮＡが損傷してアポトーシスの始まったケラチノサイトである。上記日焼け細胞の数は浴びたＵＶＢの線量が多くなるにつれて多くなる。実際には、損傷を受けた細胞は自然の防御プロセスにより修復又は除去されるが、このシステムが飽和したり遺伝子に障害があったりして機能不全になると皮膚ガンが発生する根本的な原因となる。
−ＵＶＡは、夏でも冬と同様に大気圏を容易に通過して真皮及び表皮を貫通し、ＵＶＢほど有害ではないが、浴びた量によって損傷を与える。ＵＶＡは日焼け細胞を産生しないか、又は、産生するとしてもごく少量であるが、フリーラジカルを形成することによって細胞のＤＮＡだけでなく細胞の脂質及び細胞のタンパク質にも損傷を与える可能性がある。ＵＶＡは、コラーゲン及びエラスチン繊維だけでなく、真皮内のその他の細胞外マトリックス成分の分解を増進し、皮膚の加齢を加速する原因となる。また、多くの研究により、表皮のランゲルハンス細胞を媒介したＵＶＡの免疫抑制効果が明らかにされている。上記ランゲルハンス細胞は、照射後、Ｔリンパ球と相互作用し、サイトカイン、並びに、表皮細胞及び神経繊維によるカスケードで産生する神経伝達物質を通して全身に影響を及ぼす（Ｍｅｕｎｉｅｒ  Ｌ．、Ｅｕｒ．Ｊ．Ｄｅｒｍａｔｏｌ．１９９９，９：２６９−２７５）。長い時間が経つうちに、前駆ガン細胞は外来細胞として認識されなくなり、その結果免疫系によって除去されなくなるので、皮膚ガンの危険性は増大する。
【０００６】
ヨーロッパでは、光度の調査により（Ｚａｎｅｔｔｉ  Ｒ．ら、Ｂｒ．Ｊ．Ｃａｎｃ．１９９６，７３：１４４０−１４５４）、紫外線暴露、皮膚の表現型及びガン腫の間の関係が示され、紫外線には直接的な危険性があるという概念が定められている。
【０００７】
その他、放射線と関係のある損傷の中で公知のものは、赤外線により温度が上昇して受ける損傷が、メラノサイトにおいて熱ショックタンパク質の産生、及び、ＵＶＢによって誘導される影響に類似した影響を誘導する（Ｎａｋａｚａｗａら、Ｊ  Ｉｎｖｅｓｔ  Ｄｅｒｍａｔｏｌ  １９９８，１１０：９７２−９７７）；近赤外線による損傷が皮膚細胞の生存能力に影響を与える（ＹＯＯ  Ｂ．Ｈ．ら、Ｊ  Ｃｏｓｍｅｔ  Ｓｃｉ  ２００２，５３（３）：１７５−１８４）；突然変異誘発力を誘導する可視光線暴露（繰り返し照射）による損傷（ＬａｒｋｏＯ．、Ｌａｋａｒｔｉｄｎｉｎｇｅｎ  ２００２，９９（１８）：２０３６−２０４０）；電離放射線による損傷が潰瘍及びガンを発生させる（Ｌｏｒｅｔｔｅ  Ｇ．、Ｍａｃｈｅｔ  Ｌ．、Ｃａｎｃｅｒ  Ｒａｄｉｏｔｈｅｒ  ２００１，５（１）：１１６ｓ−１２０ｓ）、又は、皮膚のＩ型及びＩＩＩ型コラーゲンの合成等の細胞の代謝を変化させる（Ｒｉｅｋｋｉ  Ｒら、Ａｒｃｈ  Ｄｅｒｍａｔｏｌ  Ｒｅｓ  ２００２，２９４（４）：１７８−１８４）、又は、増殖及び表皮の分化も変化させる（Ｓｉｖａｎ  Ｖ．ら、Ｉｎｔ  Ｊ  Ｒａｄｉａｔ  Ｏｎｃｏｌ  Ｂｉｏｌ  Ｐｈｙｓ  ２００２，５３（２）：３８５−３９３）といったものが挙げられる。この他にも、マイクロ波の細胞遺伝学的な影響による損傷（Ｚｏｔｔｉ−Ｍａｒｔｅｌｌｉ  Ｌら、Ｍｕｔａｔ  Ｒｅｓ  ２０００．４７２（１−２）：５１−５８）、又は、熱ショックタンパク質（ＨＳＰ７０及びＨＳＰ２７）経路の抑制、若しくは、電磁場及び特に携帯電話から発生するフリーラジカルの発生による腫瘍形成効果による損傷（Ｆｒｅｎｃｈ  Ｐ．Ｗら、Ｄｉｆｆｅｒｅｎｃｉａｔｉｏｎ  ２００１，６７（４−５）：９３−９７；Ｄｉ  Ｃａｒｌｏら、Ｊ  Ｃｅｌｌ  Ｂｉｏｃｈｅｍ  ２００２；８４（３）：４４７−４５４；Ｌｅｓｚｃｚｙｎｓｋｉ  Ｄ．ら、Ｄｉｆｆｅｒｅｎｃｉａｔｉｏｎ  ２００２  ７０（２−３）：１２０−１２９；Ｍｏｕｓｔａｆａ  Ｙ．Ｍ．ら、Ｊ  Ｐｈａｒｍ  Ｂｉｏｍｅｄ  Ａｎａｌ  ２００１，２６（４）：６０５−６０８）といったものが挙げられる。
【０００８】
他の要素としては、例えば、ある化学薬品（過酸化水素、一酸化窒素、重金属類等）又は生物剤（ウィルス、細菌等）、更には、細胞のストレスを誘導することができる力学的要因（伸縮、圧縮等）といったものも挙げられる。
【０００９】
現在のところ、増殖、分化及び細胞死等の、非常に多くの遺伝子と細胞シグナル経路によって制御される細胞の機能の全てが、ｅｘ  ｖｉｖｏ（生検）で、又は、通常は、健康若しくは異常なドナー又は細胞系由来の繊維芽細胞、ケラチノサイト又はメラノサイトの単層細胞培養によるｉｎ  ｖｉｔｒｏで調べられている。また、発現及び細胞合成に関するデータが特異的なストレスと相関のあるものとして見出せるというわけでは必ずしもなく、ｉｎ  ｖｉｔｒｏで得られる結果と実験用単純モデルでのｉｎ  ｖｉｖｏの結果とは時々矛盾する。
【００１０】
ここ数年間で、主として細胞治療、細胞毒性試験及び有効性試験のために、動物実験の代わるものとして様々な三次元細胞モデルが開発された。表皮のモデルとしては（Ｏｒｅａｌ、ＥＰ  ０  ７８９  ０７４  Ａ１；Ａ．ｄｅ  Ｂｒｕｇｅｒｏｌｌｅ  ｄｅ  Ｆｒａｉｓｓｉｎｅｔｔｅら、１９９９，Ｃｅｌｌ  Ｂｉｏｌ．Ｔｏｘ．１５：１２１−１３５）が挙げられ、急性又は慢性の皮膚の炎症についての予測可能性を調べるために用いられる。その他、再構成上皮のモデル（Ｓｃｈｍａｌｚ  Ｇ．ら、Ｅｕｒ．Ｊ．Ｏｒａｌ  Ｓｃｉ．２０００．１０８：４４２−４４８；Ｎｉｅｌｓｅｎら、Ｉｎｔ．Ｊ．Ｐｈａｒｍ．２０００．２００：２６１−２７０）、並びに、再構成皮膚又は色素細胞を含む再構成皮膚及び／若しくは免疫担当再構成皮膚のモデル（Ｒｅｇｎｉｅｒ  Ｍ．ら、Ｐｏｕｒ  ｌａ  ｓｃｉｅｎｃｅ（１９９９）２６６：１５４−１５９）等も例として挙げられる。
【００１１】
上記モデルのうち薬物毒性学的な評価並びに医薬及び化粧品成分の有効性研究に今日非常に広く用いられているものがあるとすれば、そこで用いられる分析方法としては組織学を画像解析と組み合わせた方法、すなわち、電気泳動分析、ウェスタンブロット、ノーザンブロット又はＲＴ−ＰＣＲ等によって代謝性合成及び制御を調べる方法が基本的に用いられる。タンパク質アレイ（又はマッピング）及びＤＮＡアレイの技術、特に二次元電気泳動又は複合サイトカイン決定（ｃｏｍｂｉｎｅｄ  ｃｙｔｏｋｉｎｅ  ｄｅｔｅｒｍｉｎａｔｉｏｎｓ）（サイトカインマップ）の技術は、上記三次元モデルにおいて、上記モデルを物理的、化学的、生物学的又は力学的性質のいずれかのストレスを受ける条件下で培養する場合には用いられているのとは対照的に、標準的な条件下で培養する場合には用いられていない。
【００１２】
逆に、上記技術は、単層細胞系において、例えば、単層培養した正常又は悪性のヒトメラノサイト（腫瘍組織から抽出した細胞系又はメラノサイト）に対する紫外線によるストレスの調節作用に関する研究等において開発され、用いられている（Ｖａｌｅｒｙ  Ｃ．、Ｇｒｏｂ  Ｊ．Ｊ．、Ｖｅｒｒａｎｄｏ  Ｐ．、Ｊ．Ｉｎｖｅｓｔ．Ｄｅｒｍａｔｏｌ．（２００１）１１７：１４７１−１４８２）。
【００１３】
【発明が解決しようとする課題】
本発明は主として、細胞がストレスを受けている時のｉｎ  ｖｉｖｏでの状況を反映するため、細胞の代謝を研究するモデルを提供して、技術的な問題を当初の予想に反して解決することを目的とする。
【００１４】
本発明は、少なくとも１つの生物学的パラメーターに結果的に生じた変化を同定する方法であって、
ａ）ストレス細胞と呼ばれる、ストレスにさらされている生細胞について
ｂ）対照細胞と呼ばれる、上記と同様のストレスにさらされていない生細胞について
ｃ）三次元組織モデルで用いられる上記２種類の細胞のうち少なくとも１種について
比較プロテオーム解析、比較トランスクリプトーム解析及び／又は比較ゲノム解析を行い、ストレスによって変化が生じる少なくとも１つの生物学的パラメーターを結果的に同定することを可能にする方法を提供するという新規の技術的な問題を解決することを目的とする。
【００１５】
上記プロテオーム解析、トランスクリプトーム解析又はゲノム解析によって、ストレスを受けている間に変化が生じるパラメーターを少なくとも１つ変換したり又は変化を防止したりするために行動目標を定めることができる。
【００１６】
本発明はまた、活性源、特に化粧品又は医薬品における活性源がゲノム又はプロテオームの特徴に与える影響を評価するために、上述の三次元組織モデルを用いることができるという解決策を提供することも目的とする。
【００１７】
本発明はまた、製剤、特に上記活性源を含有する化粧又は医薬の製剤が、ゲノム、トランスクリプトーム又はプロテオームの特徴に与える影響を評価するために、上述の三次元組織モデルを用いることができるという解決策を提供することも目的とする。
【００１８】
本発明は更に、ストレスを受けている間に変化が生じる生物学的パラメーターを少なくとも１つ変換したり又は変化を防止したりすることができる潜在的活性物質を少なくとも１つ同定する方法を提供するという新規の技術的な問題を解決することもまた目的とする。
【００１９】
本発明は更に、上記方法によって選択される活性物質を提供し、化粧品又は医薬品を調製するために使用するという新規の技術的な問題を解決することもまた目的とする。
【００２０】
【課題を解決するための手段】
本発明は上述の技術的な問題を解決することを可能にするものである。
【００２１】
本発明の記述において本発明者らによれば、「ゲノム研究」は、生物体の遺伝子全体の機能を研究するために、少なくともその一部分の配列表を作成して研究する行為を意味するものである。
【００２２】
本発明者らによれば、「トランスクリプトーム研究」は、ゲノムから転写されたＲＮＡ全体のうち少なくともその一部分の配列表を作成して研究する行為を意味するものである。
【００２３】
本発明者らによれば、「プロテオーム研究」は、発現したタンパク質のうち少なくともその一部分の配列表を作成して研究する行為を意味するものである。
【００２４】
本発明は主として、少なくとも１つの生物学的パラメーターに結果的に生じた変化を同定する方法であって、
ａ）ストレス細胞と呼ばれる、ストレスにさらされている生細胞について
ｂ）対照細胞と呼ばれる、上記と同様のストレスにさらされていない生細胞について
ｃ）三次元組織モデルで用いられる上記２種類の細胞のうち少なくとも１種について
比較プロテオーム解析、比較トランスクリプトーム解析及び／又は比較ゲノム解析を行い、ストレスによって変化が生じる少なくとも１つの生物学的パラメーターを結果的に同定することを可能にすることを特徴とする方法を提供するものである。
【００２５】
「対照細胞」と呼ばれる細胞とは、上記で調べたストレスを受けていない細胞である。対照細胞は、上述の発明の効果を最大にするためにいかなるストレスにさらされる可能性もできるだけ小さくした細胞であるということは、当業者であれば容易に理解することができる。上記細胞は特に、保護された生検材料、すなわち、太陽放射にほとんどさらされていない生検材料（胸部、腹部等）から取り出した細胞か、又は、いかなるストレス（物理化学的、生物学的又は力学的ストレス）にもさらされていない細胞のいずれかということになるであろう。
【００２６】
「ストレス」細胞と呼ばれる細胞は、日光にさらされている部位（手、顔等）から採取した生検材料由来の細胞であるか、又は、ＵＶＡ、ＵＶＢ、日光、赤外線、近赤外線、熱、磁場、マイクロ波及び携帯電話の電波を包含するヘルツ放射線、β、γ及びＸ線を包含する電離放射線、上記の放射線に偶然又は非偶然に暴露される間に受けるストレス等を含むストレス（物理的、化学的又は生物学的ストレス）にさらされている細胞である。上記細胞は、同一のドナー又は異なるドナー由来の複数の生検材料から取り出すことができる。
【００２７】
上記生物学的パラメーターとは、通常、遺伝子発現におけるいかなる変化、タンパク質の分泌におけるいかなる変化、又は、対照細胞の代謝において示される可能性のあるいかなる変化にも相当するものである。
【００２８】
上記組織モデルは、特に生体組織を再構成する目的で、生細胞を播種することができる組織モデルとして定められ、三次元モデルとも呼ばれる。上記組織モデルは特に、皮膚の場合は真皮、粘膜の場合は絨毛膜と呼ばれる、主として間質細胞を含んだ結合性マトリックスのモデル、主として上皮細胞から構成される上皮モデル、主としてケラチノサイトから構成される表皮モデル、表皮及び真皮から構成される皮膚モデル、上皮及び絨毛膜から構成される粘膜モデル、生存状態を保った生検材料（又は外植片）のモデル、及び、上述のモデルに存在する細胞を用いた単層又は懸濁状態のモデルとなることができるものとして定められる。
【００２９】
上記モデルにおいては、正常、健康若しくは異常細胞、又は、細胞系由来の細胞を用いることができ、上記細胞はヒト又は動物由来のものを使用することができる。
【００３０】
上記特徴のうち後半のものの別の形によれば、結合性マトリックス（真皮又は絨毛膜）の三次元培養モデルは、再構成真皮又は再構成絨毛膜を作るために間質細胞を播種した担体を含む。
【００３１】
上記表皮又は上皮の三次元培養モデルは、再構成上皮又は表皮を得るために、あらかじめ間質細胞、特に繊維芽細胞を播種し、その後上皮細胞、及び、特にケラチノサイトを播種した担体、又は、何も播種していない担体を含む。
【００３２】
上記再構成皮膚又は粘膜の三次元培養モデルは、再構成粘膜を得るために上皮細胞を、又は、再構成皮膚を得るためにケラチノサイトを播種した（真皮又は絨毛膜の）マトリックス担体を含む。
【００３３】
別の形によれば、用いられる上記三次元培養モデルは更に少なくとも１種の細胞、例えば、内皮細胞（ＥＣ）、及び／又は、リンパ球、及び／又は、脂肪細胞、及び／又は、体毛、髪、皮脂腺等の皮膚の付属器といった種類の細胞が少なくとも１種更に組み込まれたモデルを含む。
【００３４】
別の形によれば、上記三次元担体は、その他どんな種類の細胞（免疫細胞、内皮細胞、神経細胞、筋細胞、肝細胞等）によるコロニー形成も可能にする。
【００３５】
有利には、色素細胞、免疫担当細胞（ランゲルハンス細胞及び／又は樹状細胞）、神経細胞等は上皮部分に加えて導入することができる。
【００３６】
種類の異なる抽出した細胞（繊維芽細胞、ケラチノサイト、メラノサイト等）は、別々に増幅し、別々に使用したり、三次元モデルを再構成するため、及び、単層又は懸濁状態で培養するために複数のドナーから貯蔵したりすることができる。
【００３７】
上記で定めた組織モデルは、ゲノム解析及びプロテオーム解析を行うために培養の最後に使用する。特に上記解析によって、ストレスの影響に対抗できる可能性のある目標を選定、同定及び特徴付けすることができる。
【００３８】
上記可能性のある目標とは、変換される生物学的パラメーター、又は、防止される変化である。
【００３９】
上記目標を定めた後、上記モデル及び検出方法と同様のものを用いて、化粧品又は医薬品における活性源をスクリーニングすることができる。上記モデル及び検出方法と同様のものを用いて、上記活性物質を含む、又は、含まない、化粧又は医薬の製剤の有効性を証明することができる。
【００４０】
上記モデル及び検出方法を用いると、活性物質、化粧品若しくは医薬品に毒性があるかどうか、又は、化粧若しくは医薬の製剤に毒性があるかどうかを明らかにすることもできる。上記毒性は、ストレス、特に光毒性によって誘導される。
【００４１】
上記で用いられる解析方法の中で、以下のものが特に挙げられる。
−プロテオームの特徴の解析方法：二次元電気泳動、タンパク質アレイ及び／又はサイトカインアレイ、及び／又は、複合ＥＬＩＳＡ測定法
−ゲノムの特徴の解析方法：ＤＮＡアレイ、ポリメラーゼ多重連鎖反応（ＰＣＲ−ｍｕｌｔｉｐｌｅｘ）、ポリメラーゼ連鎖反応（ＰＣＲ）及び／又はリアルタイムポリメラーゼ連鎖反応（リアルタイムＰＣＲ）
−トランスクリプトームの特徴の解析方法：ＲＮＡアレイ、ｃＤＮＡアレイ、逆転写多重ポリメラーゼ連鎖反応（ＲＴ−ＰＣＲ−ｍｕｌｔｉｐｌｅｘ）、逆転写ポリメラーゼ連鎖反応（ＲＴ−ＰＣＲ）及び／又はリアルタイム逆転写ポリメラーゼ連鎖反応（リアルタイムＲＴ−ＰＣＲ）
【００４２】
【発明の実施の形態】
第一の態様によると、本発明は、少なくとも１つの生物学的パラメーターに結果的に生じた変化を同定する方法であって、
ａ）ストレス細胞と呼ばれる、ストレスにさらされている生細胞について
ｂ）対照細胞と呼ばれる、上記と同様のストレスにさらされていない生細胞について
ｃ）三次元組織モデルで用いられる上記２種類の細胞のうち少なくとも１種について
比較プロテオーム解析、比較トランスクリプトーム解析及び／又は比較ゲノム解析を行い、ストレスによって変化が生じる少なくとも１つの生物学的パラメーターを結果的に同定することを可能にする方法に関する。
【００４３】
特に、本発明は、少なくとも１つの生物学的パラメーターに結果的に生じた変化の同定法であって、
ａ）組織モデルに播種したストレス細胞と呼ばれるストレスにさらされている生細胞について、部分的に又は完全に、プロテオーム解析、トランスクリプトーム解析及び／又はゲノム解析を行うこと
ｂ）ａ）で行った解析と、対照細胞と呼ばれる上記ストレスにさらされていない生細胞についての、部分的な又は完全な、プロテオーム解析及び／又はゲノム解析とを比較すること
ｃ）上記ストレスによって変化が生じる少なくとも１つの生物学的パラメーターを結果的に同定すること
を含む同定法に関する。
【００４４】
有利には、上記対照細胞及び上記ストレス細胞は三次元組織モデルにおいて用いられる。
【００４５】
有利には、ストレスにさらされる間に変化が生じる上記生物学的パラメーターはストレス細胞と呼ばれる細胞の代謝と対照細胞と呼ばれる細胞の代謝の間の差のうちの少なくとも１つによって定められる。
【００４６】
有利な形態によると、上記ａ）段階が以下の段階：
ａ１）細胞モデル、すなわち単層若しくは懸濁状態において、及び／又は、組織モデル、すなわち三次元状態において対照細胞と呼ばれる細胞を１種以上播種する段階
ａ２）上記モデルをストレスにさらす段階（上記細胞はこのことよりストレス細胞と呼ばれる）
を含む。
【００４７】
また、もう１つの有利な形態によると、上記ａ）段階が以下の段階：
ａ１）１種以上の生細胞をストレスにさらす段階（上記細胞はこのことよりストレス細胞と呼ばれる）
ａ２）細胞モデル、すなわち単層若しくは懸濁状態において、及び／又は、組織モデル、すなわち三次元状態において上記ストレス細胞を用いる段階
を含む。
【００４８】
有利には、上記ストレスは物理的ストレス（ＵＶＡ、ＵＶＢ、日光、赤外線、近赤外線、熱、磁場、マイクロ波及び携帯電話の電波を包含するヘルツ放射線、β、γ及びＸ線を包含する電離放射線、上記の放射線に偶然又は非偶然に暴露される間に受けるストレスから選択されたストレス）、物理化学的ストレス、生物学的ストレス及び／又は力学的ストレスである。
【００４９】
有利な形態によると、上記ストレス細胞は、
・当業者には試料となるであろうことが公知の、手や顔等の日光にさらされている部位から採取される生検材料由来の細胞
・物理的ストレス（ＵＶＡ、ＵＶＢ、日光、赤外線、近赤外線、熱、磁場、マイクロ波及び携帯電話の電波を包含するヘルツ放射線、β、γ及びＸ線を包含する電離放射線、上記の放射線に偶然又は非偶然に暴露される間に受けるストレスから選択されたストレス）、物理化学的ストレス、生物学的ストレス及び／又は力学的ストレスによりストレスを受けている細胞
のいずれかである。
【００５０】
有利な形態によると、上記対照細胞は、胸部、腹部、包皮等の太陽放射によるストレスをあまり受けていない生検材料から取り出した細胞、又は、ＵＶＡ型、ＵＶＢ型、太陽放射型及び／若しくは磁場由来の放射線といった物理的ストレス、化学的ストレス、生物学的ストレス及び／又は力学的ストレス等のストレスを受けていない細胞のいずれかである。
【００５１】
有利には、上記ストレス細胞は少なくとも一体のヒト又は少なくとも一体の動物由来の細胞である。
【００５２】
有利には、上記検討は以下の解析方法：
−プロテオームの特徴の解析方法：二次元電気泳動、タンパク質アレイ及び／又はサイトカインアレイ、及び／又は、複合ＥＬＩＳＡ測定法
−ゲノムの特徴の解析方法：ＤＮＡアレイ、ポリメラーゼ多重連鎖反応（ＰＣＲ−ｍｕｌｔｉｐｌｅｘ）、ポリメラーゼ連鎖反応（ＰＣＲ）及び／又はリアルタイムポリメラーゼ連鎖反応（リアルタイムＰＣＲ）
−トランスクリプトームの特徴の解析方法：ＲＮＡアレイ、ｃＤＮＡアレイ、逆転写多重ポリメラーゼ連鎖反応（ＲＴ−ＰＣＲ−ｍｕｌｔｉｐｌｅｘ）、逆転写ポリメラーゼ連鎖反応（ＲＴ−ＰＣＲ）及び／又はリアルタイム逆転写ポリメラーゼ連鎖反応（リアルタイムＲＴ−ＰＣＲ）
から選択される少なくとも１つの解析を含む。
【００５３】
有利には、上記組織モデルは細胞の代謝を少なくとも部分的に維持している条件下で培養及び／又は保存される。
【００５４】
有利には、上記組織モデルは少なくとも繊維芽細胞又はケラチノサイトを含む。
【００５５】
有利には、上記モデルは、正常、健康若しくは異常細胞、又は、細胞系由来の細胞を含み、上記細胞は好ましくはヒト又は動物由来のものである。
【００５６】
有利には、上記組織モデルは以下のモデル：
皮膚の場合は真皮、粘膜の場合は絨毛膜と呼ばれる、主として間質細胞を含む結合性マトリックスモデル、主として上皮細胞から構成される上皮モデル、主としてケラチノサイトから構成される表皮モデル、表皮及び真皮から構成される皮膚モデル、上皮及び絨毛膜から構成される粘膜モデル
から選択される。
【００５７】
有利には、上記組織モデルは好ましくは以下のマトリックス担体：
−合成半透膜、具体的にはニトロセルロース半透膜、ナイロン半透膜、テフロン膜若しくはテフロンスポンジ、ポリカーボネート若しくはポリエチレン、ポリプロピレン若しくはポリエチレンテレフタレート（ＰＥＴ）の半透膜、ＡｎｏｐｏｒｅＴＭ無機半透膜、酢酸セルロース若しくはセルロースエステル（ＨＡＴＦ）の膜、Ｂｉｏｐｏｒｅ−ＣＭＴＭ半透膜、ポリエステル半透膜又はポリグリコール酸の膜若しくは薄膜からなる群より選択される不活性な担体（上記群において、例えば、真皮モデルであるＳｋｉｎ２ＴＭｍｏｄｅｌ  ＺＫ１１００、Ｄｅｒｍａｇｒａｆｔ（Ｒ）及びＴｒａｎｓｃｙｔｅ（Ｒ）（Ａｄｖａｎｃｅｄ  Ｔｉｓｓｕｅ  Ｓｃｉｅｎｃｅｓ）が挙げられる）
−細胞培養処理した樹脂（葉状真皮（ａ  ｄｅｒｍａｌ  ｌｅａｆ）の構造：Ｍｉｃｈｅｌ  Ｍ．ら、Ｉｎ  Ｖｉｔｒｏ  Ｃｅｌｌ．Ｄｅｖ  Ｂｉｏｌ．−Ａｎｉｍａｌ（１９９９）３５：３１８−３２６）
−ヒアルロン酸（Ｈｙａｌｏｇｒａｆｔ（Ｒ）  ３Ｄ−Ｆｉｄｉａ  Ａｄｖａｎｃｅｄ  Ｂｉｏｐｏｌｙｍｅｒｓ）及び／又はコラーゲン及び／又はフィブロネクチン及び／又は繊維素を基盤とするゲル又は膜（上記群において、例えば、真皮モデルであるＶｉｔｒｉｘ（Ｒ）（オルガノジェネシス）が挙げられる）
−１つ以上のグリコサミノグリカン類及び／又は最終的にはキトサン（ＣＮＲＳのＥＰ０２９６０７８  Ａ１、ＣｏｌｅｔｉｃａのＷＯ０１／９１１８２１及びＷＯ０１／９２３２２）を含むことが可能であるコラーゲンから作られる、浮上している又は浮上していない多孔性マトリックス（上記群において、例えば、真皮モデルであるＭｉｍｅｄｅｒｍ（Ｒ）（Ｃｏｌｅｔｉｃａ）が挙げられ、上記マトリックス担体が間質細胞、特に繊維芽細胞を含む）
より選択されるマトリックス担体を含む結合性マトリックス（真皮又は絨毛膜）の組織モデルである。
【００５８】
有利には、上記組織モデルは好ましくは以下のマトリックス担体：
−合成半透膜、具体的にはニトロセルロース半透膜、ナイロン半透膜、テフロン膜若しくはテフロンスポンジ、ポリカーボネート若しくはポリエチレン、ポリプロピレン若しくはポリエチレンテレフタレート（ＰＥＴ）の半透膜、Ａｎｏｐｏｒｅ無機半透膜、酢酸セルロース若しくはセルロースエステル（ＨＡＴＦ）の膜、Ｂｉｏｐｏｒｅ−ＣＭ半透膜又はポリエステル半透膜からなる群より選択される不活性な担体（上記群において、再構成表皮及び上皮のモデル（Ｓｋｉｎｅｔｈｉｃ（Ｒ））、並びに、ＥｐｉＤｅｒｍ（Ｒ）、ＥｐｉＡｉｒｗａｙ（Ｒ）、ＥｐｉＯｃｃｕｌａｒ（Ｒ）（Ｍａｔｔｅｋ  Ｃｏｒｐｏｒａｔｉｏｎ）といったモデルが挙げられる）
−ヒアルロン酸及び／又はコラーゲン及び／又はフィブロネクチン及び／又は繊維素を基盤とする薄膜又は膜（上記群において、特に、Ｍｉｍｅｔｏｐ（Ｒ）（Ｃｏｌｅｔｉｃａ）、Ｌａｓｅｒｓｋｉｎ（Ｒ）（Ｆｉｄｉａ  ａｄｖａｎｃｅｄ  Ｂｉｏｐｏｌｙｍｅｒｓ）、Ｅｐｉｓｋｉｎ（Ｒ）（ロレアル）といったモデルが挙げられる）
より選択されるマトリックス担体を含む表皮組織モデル又は上皮組織モデルである。上記モデルは、あらかじめ間質細胞、特に繊維芽細胞を播種し、その後上皮細胞、及び、特にケラチノサイトを播種するものである。
【００５９】
有利には、上記上皮部分に上皮細胞、色素細胞、免疫担当細胞及び神経細胞が上皮細胞に更に導入され、上記免疫担当細胞は好ましくはランゲルハンス細胞である。
【００６０】
有利には、上記組織モデルは好ましくは以下のマトリックス担体：
−合成半透膜、具体的にはニトロセルロース半透膜、ナイロン半透膜、テフロン膜若しくはテフロンスポンジ、ポリカーボネート若しくはポリエチレン、ポリプロピレン若しくはポリエチレンテレフタレート（ＰＥＴ）の半透膜、Ａｎｏｐｏｒｅ無機半透膜、酢酸セルロース若しくはセルロースエステル（ＨＡＴＦ）の膜、Ｂｉｏｐｏｒｅ−ＣＭ半透膜又はポリエステル半透膜からなる群より選択される不活性な担体（上記不活性な担体は間質細胞、特に繊維芽細胞を含む）
−間質細胞、特に繊維芽細胞を含む、コラーゲン及び／又はヒアルロン酸及び／又はフィブロネクチン及び／又は繊維素を基盤とするゲル
−１つ以上のグリコサミノグリカン類及び／又は最終的にはキトサンを含むことが可能であるコラーゲンから作られる、浮上している又は浮上していない多孔性マトリックス（上記多孔性マトリックスは間質細胞、特に繊維芽細胞を統合したものである）
−ヒト又は動物の、上皮を剥がした真皮又は死んだ真皮
より選択される真皮の又は絨毛膜のマトリックス担体を含む再構成皮膚又は粘膜の組織モデルである。
【００６１】
上記群において、Ｍｉｍｅｓｋｉｎ（Ｒ）（Ｃｏｌｅｔｉｃａ）、Ａｐｌｉｇｒａｆ（Ｒ）（オルガノジェネシス）、ＡＴＳ−２０００（ＣｅｌｌＳｙｓｔｅｍｓ（Ｒ）  Ｂｉｏｔｅｃｈｎｏｌｏｇｉｅ  Ｖｅｒｔｒｉｅｂ）、特にはＳｋｉｎ２ＴＭ（ＺＫ１２００−１３００−２０００、Ａｄｖａｎｃｅｄ  Ｔｉｓｓｕｅ  Ｓｃｉｅｎｃｅ）といったモデルを挙げることができる。
【００６２】
更に、上記研究課題にもなり得る組織治療に使用できるモデルも確かに存在する。上記モデルとしては、ＥｐｉｄｅｘＴＭ（Ｍｏｄｅｘ  Ｔｈｅｒａｐｅｕｔｉｑｕｅｓ）、Ｅｐｉｂａｓｅ（Ｒ）（Ｌａｂｏｒａｔｏｉｒｅ  Ｇｅｎｅｖｒｉｅｒ）、ＥｐｉｃｅｌｌＴＭ（ジェンザイム）、ＡｕｔｏｄｅｒｍＴＭ及びＴｒａｎｓｄｅｒｍＴＭ（イノジェネティックス）を挙げることができる。
【００６３】
上記マトリックス担体はその後、再構成粘膜を得るために上皮細胞を、又は、再構成皮膚を得るためにケラチノサイトを播種される。
【００６４】
有利には、用いられる上記組織モデルは更に少なくとも１種の細胞、好ましくは、内皮細胞（ＥＣ）、及び／又は、リンパ球、マクロファージ、樹状細胞等の免疫細胞、及び／又は、脂肪細胞、及び／又は、体毛、髪、皮脂腺等の皮膚の付属器といった種類の細胞が少なくとも１種更に組み込まれたモデルを含む。
【００６５】
第二の態様によると、本発明は、上記ストレスにさらされる間に変化が生じる生物学的パラメーターを少なくとも１つ変換することができる潜在的活性物質を少なくとも１つスクリーニングする上記の方法の使用に関する。
【００６６】
第三の態様によると、本発明は、上記ストレスにさらされる間に変化が生じる生物学的パラメーターの変化を少なくとも１つ防止することができる潜在的活性物質を少なくとも１つスクリーニングする方法の使用に関する。
【００６７】
有利には、本発明は、上記ストレスにさらされる間に変化が生じる生物学的パラメーターの変化を少なくとも１つ防止又は変換することができる潜在的活性物質を少なくとも１つスクリーニングする方法であって、
Ａ／上記潜在的活性物質を、上記潜在的活性物質を作用させるのに十分な時間、上記組織モデルに播種した上記対照細胞と接触させて配置すること、上記ストレスを与えること
Ｂ／上記細胞における細胞の代謝に対する上記物質の作用を検討するために、部分的に又は完全に、プロテオーム解析、トランスクリプトーム解析及び／又はゲノム解析を行うこと
Ｃ／上記潜在的活性物質の存在下の上記細胞における細胞の代謝を、コントロール細胞と呼ばれる、上記物質の非存在下の上記細胞における代謝と比較することＤ／上記潜在的活性物質の活性の有無を明らかにすること、特に生物学的パラメーターの変化を防止するための上記物質の肯定的又は否定的な効果を明らかにすること
を含む方法に関する。
【００６８】
別の態様によると、本発明は、
ａ）変化が生じた生物学的パラメーターを持ったストレスにさらされている細胞、好ましくは上記のストレス細胞と呼ばれる細胞を、上記細胞における細胞の代謝に対して上記潜在的活性物質を結果的に作用させるのに十分な時間、少なくとも１つの結果的に活性を持つことになる物質の存在下で培養すること（上記ストレス細胞は上記組織モデルに播種される）
ｂ）ａ）段階で培養したストレス細胞について、好ましくは上記の方法で、部分的に又は完全に、プロテオーム解析、トランスクリプトーム解析及び／又はゲノム解析を行うこと
ｃ）ｂ）で行った解析と、コントロール細胞と呼ばれる上記潜在的活性物質の非存在下で培養した生細胞についての、好ましくは上記の方法による、部分的な又は完全な、プロテオーム解析、トランスクリプトーム解析及び／又はゲノム解析とを比較すること
ｄ）ｃ）での解析の比較に続いて、上記ストレスにより変化が生じる生物学的パラメーターを少なくとも１つ変換することができる活性物質を少なくとも１つ結果的に同定すること
を含む、ストレスにさらされる間に変化が生じる生物学的パラメーターを少なくとも１つ変換することができる潜在的活性物質を少なくとも１つ同定する方法に関する。
【００６９】
別の態様によると、本発明は、
ａ）上記組織モデルに播種した上記対照細胞と接触させて、上記潜在的活性物質を作用させるのに十分な時間、上記潜在的活性物質を配置すること、上記ストレスを与えること
ｂ）ａ）段階で培養したストレス細胞について、好ましくは上記の方法で、部分的に又は完全に、プロテオーム解析、トランスクリプトーム解析及び／又はゲノム解析を行うこと
ｃ）ｂ）で行った解析と、コントロール細胞と呼ばれる上記潜在的活性物質の非存在下で培養した生細胞についての、好ましくは上記の、部分的な又は完全な、プロテオーム解析及び／又はゲノム解析とを比較すること
ｄ）ｃ）での解析の比較に続いて、ストレスにより変化が生じる生物学的パラメーターの変化を少なくとも１つ防止することができる活性物質を少なくとも１つ結果的に同定すること
を含む、ストレスにさらされる間に変化が生じる生物学的パラメーターの変化を少なくとも１つ防止することができる潜在的活性物質を少なくとも１つ同定する方法に関する。
【００７０】
別の態様によると、本発明は、少なくとも１つの化粧組成物及び／又は医薬組成物を調製するための、上記の方法により選択される活性物質の使用に関する。
【００７１】
別の態様によると、本発明は、上記の方法により選択される化粧品又は薬学の分野における活性物質に関する。
【００７２】
別の態様によると、本発明は、物理的、化学的又は生物学的ストレスを受けている間に変化が生じることが明らかにされた生物学的パラメーターを変換すること、及び／又は、その変化を防止することができる活性物質に関するものであり、上記パラメーターは、「ストレス」細胞と呼ばれる細胞を用いた細胞モデルと、「対照」細胞と呼ばれる細胞を用いた細胞モデルとを比較検討することにより同定されたものであり、
上記モデルの少なくとも１つは繊維芽細胞又はケラチノサイトの少なくともどちらかを含む組織モデルである。
【００７３】
また、以下に本発明の実例である簡潔な実施例を掲げて本発明の特徴と利点を明確に説明するが、これらは本発明の範囲を制限するものではない。上記実施例は本発明に不可欠な部分であり、従来技術に照らして新規の特徴は全て、従来技術との関係及びその特徴の概略を本発明に不可欠なものとして記載する。実施例において、特に指示のない限り、百分率は重量％で、温度は摂氏で、圧力は大気圧で表す。
【００７４】
【実施例】
実施例１
「ストレス細胞」と呼ばれる細胞、又は、「対照細胞」と呼ばれる細胞の抽出及び培養
「対照細胞」と呼ばれる細胞は、日光のストレスを受けていない、形成外科、好ましくは腹部、乳房、最終的には歯肉又は膣の形成外科より入手した生検材料、又は、様々な年齢のドナーより抽出する。
「ストレス細胞」と呼ばれる細胞は、日光のストレスを受けた部位（顔、首、手）の形成外科より入手した生検材料、又は、様々な年齢のドナーより抽出する。
【００７５】
外植片を用いる方法若しくはコラゲナーゼ等を用いる酵素的消化により抽出した繊維芽細胞、又は、具体的にはディスパーゼ、サーモリシン又はトリプシン−ＥＤＴＡ等によって酵素的に真皮−表皮を分離した後抽出したケラチノサイト若しくはメラノサイトといった種類の細胞を得ることができる。
【００７６】
抽出後、上記繊維芽細胞は、ウシ血清を１０％、ペニシリンを最終濃度１００ＩＵ／ｍＬ、ゲンタマイシンを最終濃度１μｇ／ｍＬ、アンホテリシンＢを最終濃度１μｇ／ｍＬ加えたＤＭＥＭ培地（Ｄｕｌａｂｅｃｃｏ’ｓ  Ｍｏｄｉｆｉｅｄ  Ｅａｇｌｅ’ｓ  Ｍｅｄｉｕｍ）／Ｈａｍ  Ｆ１２  ｇｌｕｔａｍａｘ  ５０／５０（ｖ／ｖ）中で増幅する。上記繊維芽細胞は、９０％コンフルエンスになるとすぐにトリプシン処理（ｔｒｙｐｓｉｎａｔｉｏｎ）により増幅する。
【００７７】
抽出後、上記ケラチノサイトは、ペニシリンを最終濃度１００ＩＵ／ｍＬ、ゲンタマイシンを最終濃度１μｇ／ｍＬ、アンホテリシンＢを最終濃度１μｇ／ｍＬ加えたウシ下垂体腺の抽出物を含むＫ−ＳＦＭ培地（ケラチノサイト用非血清培地、インビトロジェン）中で増幅する。上記ケラチノサイトは、９０％コンフルエンスになるとすぐにトリプシン処理（ｔｒｙｐｓｉｎａｔｉｏｎ）により増幅する。
【００７８】
抽出後、上記メラノサイトは、ペニシリンを最終濃度１００ＩＵ／ｍＬ、ゲンタマイシンを最終濃度１μｇ／ｍＬ、アンホテリシンＢを最終濃度１μｇ／ｍＬ、ジェネテシンを１００μｇ／ｍＬの割合で加えたＭＭＫ２培地（メラノサイト培養キット、シグマ）中で３日間増幅し、残留しているケラチノサイトを除去する。その後、ジェネテシンを除く以外は上記と同じ培地中で培養を続ける。上記メラノサイトは、９０％コンフルエンスになるとすぐにトリプシン処理（ｔｒｙｐｓｉｎａｔｉｏｎ）により増幅する。
【００７９】
実施例２
「ストレス細胞」と呼ばれる細胞、又は、「対照細胞」と呼ばれる細胞からの再構成真皮の調製
実施例１に記載の方法で増幅した、対照生検材料（乳房の生検材料）を３つ含むプール及びストレスを受けた生検材料（持ち上げることによるストレス）を３つ含むプールに由来する繊維芽細胞５００，０００個を、ウシ血清を１０％、アスコルビン酸−２−リン酸を最終濃度１ｍＭ、ＥＧＦ（表皮成長因子）を最終濃度１０ｎｇ／ｍＬ、ペニシリンを最終濃度１００ＩＵ／ｍＬ、ゲンタマイシンを最終濃度１μｇ／ｍＬ、アンホテリシンＢを最終濃度１μｇ／ｍＬ加えたＤＭＥＭ−ｇｌｕｔａｍａｘ培地中の、アジ化ジフェニルホスホリル（ｄｉｐｈｅｎｙｌｐｈｏｓｐｈｏｒｙｌａｚｉｄｅ）で架橋したコラーゲンでできている真皮の基質に播種して２１日間培養する。
【００８０】
実施例３
ＵＶＡ照射によりストレスを与えた「ストレス細胞」と呼ばれる細胞又は「対照細胞」と呼ばれる細胞をあらかじめ播種した再構成真皮におけるサイトカインの定量
実施例１に記載の方法で増幅した、対照生検材料（乳房の生検材料）に由来する繊維芽細胞５００，０００個を、ウシ血清を１０％、アスコルビン酸−２−リン酸を最終濃度１ｍＭ、ＥＧＦ（表皮成長因子）を最終濃度１０ｎｇ／ｍＬ、ペニシリンを最終濃度１００ＩＵ／ｍＬ、ゲンタマイシンを最終濃度１μｇ／ｍＬ、アンホテリシンＢを最終濃度１μｇ／ｍＬ加えたＤＭＥＭ−ｇｌｕｔａｍａｘ培地中の、アジ化ジフェニルホスホリル（ｄｉｐｈｅｎｙｌｐｈｏｓｐｈｏｒｙｌａｚｉｄｅ）で架橋したコラーゲンでできている真皮の基質に播種して１５日間培養する。上記細胞は、血清を除いた培地（ＦＢＭ、繊維芽細胞基本培地、Ｐｒｏｍｏｃｅｌｌ）中で更に１週間培養する。
【００８１】
実験の最後に、上記再構成真皮はｐＨ７．４のリン酸バッファー（ＰＢＳ）中で洗浄し、ｐＨ７．４のＰＢＳを１ｍＬ入れた小型のペトリ皿に入れる。試料の一部は外界と同じ温度で保ち（この再構成真皮を「対照真皮」と呼ぶ）、それ以外にはＵＶＡ（３６５ｎｍ）を線量を増やしながら（０−５−１０−１５−２０−２５−３０Ｊ／ｃｍ２）照射する。
【００８２】
「ストレス細胞」又は「対照細胞」と呼ばれる細胞を含む上記再構成真皮はこの後、血清を除いた培地（ＦＢＭ、Ｐｒｏｍｏｃｅｌｌ）中で２４時間培養する。マトリックスにおける細胞の生存能力を、ＭＴＴ（メチルチアゾールテトラゾリウム）を用いた試験により評価し、非照射のコントロールに対する百分率で表す。培地を回収し、遠心分離して、サイトカイン含有量をＦｌｕｏｒｏｋｉｎｅ  ＭＡＰキット（Ｒ＆Ｄ  Ｓｙｓｔｅｍｓ）で測定する。すなわち、標準又は試料を５０μＬ、それぞれ区別したウェルにピペットで移す。種々のサイトカインに特異的な抗体を固定した微粒子５０μＬを、プレートについてあらかじめ決めておいた計画に従って上記ウェルに加える。回転させて攪拌しながら１時間培養し、固定していない基質を洗浄して除去した後、種々のサイトカインに特異的な標識抗体をウェルに添加し、回転させて攪拌しながら２時間培養する。洗浄後、上記微粒子を洗浄バッファーに懸濁し、回転しながら１分間攪拌する。Ｌｕｍｉｎｅｘ  １００  Ａｎａｌｙｓｅｒ（Ｒ＆Ｄ  Ｓｙｓｔｅｍｓ）で直ちに記録をとる。上記で記録した培地中の種々のサイトカインの含有量を、高度精製組み換えヒトサイトカインで較正した範囲に基づいて測定する。この方法を用いて、細胞の様々なサイトカイン（ＩＬ−１β、ＩＬ−２、ＩＬ−４、ＩＬ−６、ＩＬ−８、ＩＬ−１０、ＴＮＦα、ＧＭ−ＣＳＦ、Ｇ−ＣＳＦ、ＶＥＧＦ、ｂＦＧＦ、Ｇ−ＣＳＦ、ＩＦＮγ）の分泌について調べることができる。
【００８３】
【表１】
2004166686.tif 000002
【００８４】
本発明の方法により、ストレス（ここではＵＶＡ照射）が細胞の生存能力の低下、及び、炎症誘発性インターロイキンの合成の増加を誘導することが分かる。正しく選択された活性源を用いて上記のような合成の増加を減少させることは興味深いであろう。
【００８５】
実施例４
サイトカインに結果的に生じる調節を同定するための、例えばＵＶＢ照射等によりストレスを与えた「ストレス細胞」と呼ばれる細胞又は「対照細胞」と呼ばれる細胞を含む再構成表皮におけるサイトカインの定量
ここではＵＶＢ非照射（乳房の生検材料）で、実施例１に記載の方法で経代培養１回目（トリプシン処理（ｔｒｙｐｓｉｎａｔｉｏｎ）による１回目の増幅）まで増幅した対照ケラチノサイト４×１０６個を、Ｈｙｃｌｏｎｅ  ＩＩウシ血清を１０％、アスコルビン酸−２−リン酸を最終濃度１ｍＭ、ＥＧＦ（表皮成長因子）を最終濃度１０ｎｇ／ｍＬ、ヒドロコルチゾンを最終濃度０．４μｇ／ｍＬ、ウムリン（ｕｍｕｌｉｎ）を最終濃度０．１２ＩＵ／ｍＬ、アイスプレルを最終濃度０．４μｇ／ｍＬ、トリヨードチロニンを最終濃度２×１０−９Ｍ、アデニンを最終濃度２４．３μｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ／Ｈａｍ  Ｆ−１２（３／１  ｖ／ｖの割合）培地中の、層の下にあらかじめ繊維芽細胞の栄養分を播種してある容器型のＢｏｙｄｅｎ挿入片（空隙率０．４μｍ、直径２５ｍｍの膜）に播種し、３〜８日間浸漬させて培養する。
【００８６】
上記培養したケラチノサイトはこの後、ウシ血清、ヒドロコルチゾン、アイスプレル、トリヨードチロニン及びウムリン（ｕｍｕｌｉｎ）を除く以外は上記浸漬培養に用いたものと同じ培地中で気液界面に１２〜１８日間おく。
【００８７】
６つの試料は、培養の最後に処理はしない（対照細胞を含むモデル＝コントロール）。６つの再構成表皮全部をそれぞれ異なるストレスにさらしてもよい。ストレスのタイプ毎に異なるプロトコールを、例えば以下の一覧から選択して用いることができる。
化学的ストレス
例えば、２％ラウリル硫酸ナトリウム（ＳＬＳ）、０．０５％トレチノイン、過酸化水素（３〜３００μＭ）、一酸化窒素（ＮＯ）（ＭＡＨＭＡ  ｎｏｎｏａｔｅ  ０．１〜１μＭ）、二酸化炭素で飽和させたり又はタバコの煙を用いたりすることによる低酸素状態等の異なる要因を再構成表皮に与え、１０分間〜１時間後ｐＨ７．４のＰＢＳ中で洗浄して除去する。
生物学的ストレス
例えば、ＴＧＦβ（５〜１０ｎｇ／ｍＬ）、ＴＮＦα（５０−１００−２００ＩＵ／ｍＬ）、ＩＬ１（５〜１０ｎｇ／ｍＬ）、ＬＰＳ（リポ多糖類５〜１０ｎｇ／ｍＬ）等の様々な試薬を再構成表皮に添加し、１時間後ｐＨ７．４のＰＢＳ中で洗浄して除去する。
力学的ストレス
再構成表皮を切断する、又は、１時間圧力をかける。
温度ストレス
再構成表皮を３７℃、４０℃及び４３℃で１時間おく。
磁場ストレス
再構成表皮を、８３５ＭＨｚ／０．６Ｗや１，８００ＭＨｚ／０．１２５Ｗ（携帯電話の無線周波数）等の磁場に１時間おく。
マイクロ波
再構成表皮を、周波数２．４５及び７．７ＧＨｚ、電力３０ｍＷ／ｃｍ２のマイクロ波にさらす。
電離放射線
再構成表皮を、線量０．２〜１０ｍＧｙのＸ線にさらす。
ＵＶストレス
ＵＶＡ（０〜６０Ｊ／ｃｍ２）、ＵＶＢ（０〜１００ｍＪ／ｃｍ２）、日光（０〜３，５００ｋＪ／ｍ２）
【００８８】
上記実験において、本発明者らはＵＶＢ型の放射線を照射することを選択した。この実験において、上記培地を除去してｐＨ７．４のＰＢＳで置き換え、挿入片中の一部の再構成表皮にＵＶＢ（３１２ｎｍ）を０〜１００ｍＪ／ｃｍ２、線量を増加させて照射する。その他の再構成表皮は、照射をしないこと以外は同じ条件で保つ（この表皮を「非ストレス対照表皮」と呼ぶ）。上記で処理した再構成表皮はこの後、発生培地（ｅｍｅｒｓｉｏｎ  ｍｅｄｉｕｍ）中で更に２４時間培養する。サイトカインは、実施例３に記載の方法でＦｌｏｒｏｋｉｎｅ  ＭＡＰで定量する。細胞の活性は、タンパク定量（タンパク定量用のビシンコニン酸キット：シグマ、セントルイス、アメリカ）、又は、それ以外の、アルカリフォスファターゼ酵素活性を定量できるような細胞活性測定の試験（リン酸ｐ−ニトロフェニル５ｍＭ、酢酸ナトリウム０．１Ｍ及び０．１％Ｔｒｉｔｏｎ  Ｘ１００  ｐＨ５を含む溶液で３７℃において２時間培養した後、１０％１ＮＮａＯＨ溶液で中和し、４０５ｎｍの吸収の記録をとる。）により評価する。
【００８９】
結果を、非照射コントロールに対する百分率で以下の表に示す。
【００９０】
【表２】
2004166686.tif 000003
【００９１】
本発明の方法により、ストレス（ここではＵＶＢ照射）が細胞の生存能力の顕著な低下、及び、炎症誘発性インターロイキンの合成の増加を誘導することが分かる。従って、正しく選択された活性源を用いて上記のような合成の増加を減少させ、細胞の死亡率を制限することは興味深いであろう。
【００９２】
実施例５
サイトカイン、ケモカイン及び免疫調節因子のｍＲＮＡの定量のための、「ストレス細胞」と呼ばれる細胞又は「対照細胞」と呼ばれる細胞を含む再構成歯肉粘膜上皮の調製
実施例１に記載の方法で抽出した、「対照歯肉粘膜上皮細胞」と呼ばれる歯肉粘膜上皮細胞（経代培養３回目（トリプシン処理（ｔｒｙｐｓｉｎａｔｉｏｎ）による３回目の増幅）における歯肉の生検材料）１〜２×１０６個を、Ｈｙｃｌｏｎｅ  ＩＩウシ血清を１０％、アスコルビン酸−２−リン酸を最終濃度１ｍＭ、ＥＧＦを最終濃度１０ｎｇ／ｍＬ、ヒドロコルチゾンを最終濃度０．４μｇ／ｍＬ、ウムリン（ｕｍｕｌｉｎ）を最終濃度０．１２ＩＵ／ｍＬ、アイスプレルを最終濃度０．４μｇ／ｍＬ、トリヨードチロニンを最終濃度２×１０−９Ｍ、アデニンを最終濃度２４．３μｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ／Ｈａｍ  Ｆ−１２（３／１  ｖ／ｖの割合）培地中の、容器の形状のＢｏｙｄｅｎ挿入片（空隙率０．４μｍ、直径１０ｍｍの膜、層の下に繊維芽細胞の栄養分が播種してあるもの）に播種して、３〜８日間浸漬させて培養する。
【００９３】
上記培養した上皮細胞はこの後、ウシ血清の割合を１０％から１％に減らす以外は上記浸漬培養に用いたものと同じ培地中で浸漬させたまま１２〜１８日間おく。
【００９４】
実験の最後に、上記培地を除去してｐＨ７．４のＰＢＳで置き換え、挿入片中のある再構成上皮に、単位上皮あたり２０μＬの割合で１時間、様々な潜在的刺激薬又は感作剤（５％ラウリル硫酸ナトリウム（ＳＬＳ）、リポ多糖類（ＬＰＳ）１０００Ｕ／ｍＬ、抗炎症剤プレドニゾロン（シグマ）を１０ｍＭ、及び、活性のあるＩｎｈｉｐａｓｅ（Ｒ）３％（プエラリア・ロバータ（ｐｕｅｒａｒｉａｌｏｂａｔａ）の根の抽出物、Ｃｏｌｅｔｉｃａ））によりストレスを与える。この後再構成上皮に添加した試薬を除去し、この再構成上皮をウシ血清を除いた浸漬用培地中で更に２４時間培養する。上記再構成上皮の一部は、ＭＴＴ（メチルチアゾールテトラゾリウム）を用いた試験により、細胞の生存能力を調べる。それ以外の再構成上皮は、掻き取ってＴｒｉ  Ｒｅａｇｅｎｔ（Ｒ）（Ｔ９４２４、シグマ、セントルイス、アメリカ）中に入れ、クロロホルムで抽出する。１２，０００ｇ、１５分間、４℃で遠心分離した後の上層にＲＮＡが確認できる。
【００９５】
上記上皮のｍＲＮＡを、Ｅｘｐｒｅｓｓｉｏｎ  Ａｒｒａｙ（Ｒ＆Ｄ  Ｓｙｓｔｅｍ）により供給業者のプロトコールに従って定量する。結果を、非ストレスコントロールに関する変量の因子として示す。［（ストレス細胞における結果／非ストレス細胞における結果）×１００］
【００９６】
【表３】
2004166686.tif 000004
【００９７】
本発明の方法により、ストレス（ここでは、刺激性又は感作性の試薬の添加）が炎症の様々な標識の変化を誘導することが分かる。活性源Ｉｎｈｉｐａｓｅ（Ｒ）の有効性は、対照である抗炎症性剤と比較すると明らかとなる。
【００９８】
実施例６
再構成皮膚の組織モデルの調製、ｍＲＮＡの合成における温度ストレスの検討、及び、若いドナーと加齢したドナーの比較
抽出する細胞は、光が当たらない乳房の生検材料から得たものである。
【００９９】
「若い繊維芽細胞」（３５才未満の３人のドナーを含むプールに由来する）及び「加齢した繊維芽細胞」（５５才を超える３人のドナーを含むプールに由来する）と呼ばれる繊維芽細胞４００，０００個を抽出し、実施例１に記載の方法で経代培養５回目（トリプシン処理（ｔｒｙｐｓｉｎａｔｉｏｎ）による５回目の増幅）まで増幅し、浮上した真皮の基質の両面に播種する。
【０１００】
簡潔には、上記真皮の基質は、以下のプロトコールに従って調製する：
−０．７５％コラーゲンゲルを２５℃で乾燥させ、薄膜を作る。
−上記コラーゲン薄膜を０．７５％コラーゲンゲルの上におく。
−２４時間凍結乾燥させ、ジメチルホルムアミド溶媒、その後ｐＨ８．９ホウ酸バッファーの中で、コラーゲンをＤＰＰＡ（アジ化ジフェニルホスホリル（ｄｉｐｈｅｎｙｌｐｈｏｓｐｈｏｒｙｌａｚｉｄｅ））５０μＬ／ｇで架橋する。
−脱塩水で洗浄し、浮上した真皮の基質を再度凍結乾燥する。
【０１０１】
上記繊維芽細胞の培養には、Ｈｙｃｌｏｎｅ  ＩＩウシ血清を１０％、アスコルビン酸−２−リン酸を最終濃度１ｍＭ、ＥＧＦ（表皮成長因子）を最終濃度１０ｎｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ培地を用いる。再構成真皮を得るためには１４日間培養することが必要である。
【０１０２】
その後、抽出して実施例１に記載の方法で経代培養２回目（トリプシン処理（ｔｒｙｐｓｉｎａｔｉｏｎ）による２回目の増幅）まで増幅した「若いケラチノサイト」（３５才未満の３人のドナーを含むプールに由来する）及び「加齢したケラチノサイト」（５５才を超える３人のドナーを含むプールに由来する）と呼ばれるケラチノサイト４００，０００個を、Ｈｙｃｌｏｎｅ  ＩＩウシ血清を１０％、アスコルビン酸−２−リン酸を最終濃度１ｍＭ、ＥＧＦを最終濃度１０ｎｇ／ｍＬ、ヒドロコルチゾンを最終濃度０．４μｇ／ｍＬ、ウムリン（ｕｍｕｌｉｎ）を最終濃度０．１２ＩＵ／ｍＬ、アイスプレルを最終濃度０．４μｇ／ｍＬ、トリヨードチロニンを最終濃度２×１０−９Ｍ、アデニンを最終濃度２４．３μｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ／Ｈａｍ  Ｆ−１２（３／１  ｖ／ｖの割合）培地中で浮上した真皮等価物（ｄｅｒｍａｌ  ｅｑｕｉｖａｌｅｎｔｓ）の薄膜側に播種して、７日間浸漬させて培養する。
【０１０３】
上記培養したケラチノサイトはこの後、ウシ血清、ヒドロコルチゾン、アイスプレル、トリヨードチロニン及びウムリン（ｕｍｕｌｉｎ）を除く以外は上記浸漬培養に用いたものと同じ培地中で気液界面に１４日間おく。
【０１０４】
実験の最後に、上記培地を除去してｐＨ７．４のＰＢＳで置き換え、挿入片中の再構成皮膚を、対照細胞を含むモデルは３７℃で１時間、ストレス細胞を含むモデルは４３℃で１時間培養する。上記で処理した再構成表皮は、浸漬用培地中で更に２４時間培養する。熱のショックを受けた「ストレス細胞」及び「対照細胞」を含む試料を、ｃＤＮＡアレイにより調べる。
【０１０５】
−すなわち、上記試料のＲＮＡを（液体窒素中でバイオプルベライザーを用いてすりつぶした後で）抽出し、Ｔｒｉ  Ｒｅａｇｅｎｔ（Ｒ）（シグマ）の供給業者のプロトコールに従って精製し、ＤＮＡを完全に除去する。
−精製したＲＮＡについて定性分析及び定量分析を行う。
−次の段階として、Ａｔｌａｓ  Ｐｕｒｅ（クロンテック）のプロトコールに従い、メッセンジャーＲＮＡ（ｍＲＮＡ）のｐｏｌｙ（Ａ）末端をビオチン化オリゴ（ｄＴ）プライマーとハイブリダイゼーションさせ、ストレプトアビジンビーズ上に選択的に捕獲することにより、ｍＲＮＡのプールを精製した。［α３３Ｐ］−ｄＡＴＰの存在下で、「アレイ」上に固定されているシークエンスに特異的なプライマーのプールを用いて、ｐｏｌｙ（ｄＴ）のビーズ上に連結したｍＲＮＡを逆転写することにより、３３Ｐで複数標識したＤＮＡプローブを作成した。上記標識したプローブは、排除カラムクロマトグラフィー（ｅｘｃｌｕｓｉｏｎｃｏｌｕｍｎ  ｃｈｒｏｍａｔｏｇｒａｐｈｙ）を用いて精製し、その性質及び当量を液体シンチレーション計数法で評価した。
−上記Ｃｕｓｔｏｍ  ＡＴＬＡＳ膜を前処理した後、それぞれの膜に固定されているｃＤＮＡを対応する標識したプローブとハイブリダイズさせた（６８℃、一晩）。この後、分析する前に薄膜を洗浄した。
−Ｐｈｏｓｐｈｏｒｉｍａｇｅｒ  Ｃｙｃｌｏｎｅ（Ｐａｃｋａｒｄ  ｉｎｓｔｒｕｍｅｎｔ；３時間、この後取得するために７２時間）及びＱｕａｎｔＡｒｒａｙ  ｓｏｆｔｗａｒｅ（Ｐａｃｋａｒｄ）を用いて、スポットの放射能をオートラジオグラフィーにより分析して定量した。
−ドナーが若かったり高齢であったり、温度ストレスを受けていたり受けていなかったりと、様々な実験条件での目的の遺伝子を同定した。結果を、加齢したモデルと若いモデル、非ストレス条件下とストレス条件下の変化の百分率で示す。
【０１０６】
【表４】
2004166686.tif 000005
【０１０７】
本発明の方法によれば、ストレス（ここでは熱のショック）により、一方で多数のラベラーの変化が、他方でストレスに対する、ドナーの年齢と相関して異なる反応が誘導されることが分かる。以上のように、上記モデルにより、熱のショックの影響を防止又は変換するための行動目標を定めることができる。更に、上記モデルにより、活性源を開発するために、本発明の年齢群と相関して異なる指針を定めることができる。
【０１０８】
実施例７
ランゲルハンス細胞、間質性樹状細胞、マクロファージ及び内皮細胞を含む多細胞再構成皮膚の組織モデルの調製、細菌のリポ多糖類による攻撃生物学的ストレスの検討
●ランゲルハンス細胞の分化経路において優先的に環境に適応することができる、未分化で未発達の樹状細胞の産出
【０１０９】
一体以上のヒトのドナーから静脈血の試料をリチウム−ヘパリン等の通常の抗凝血剤中に入れたヴァキュテーナー（ｖａｃｕｔａｉｎｅｒ）内に採取し、抹消循環血を集めた。
【０１１０】
上記循環血からの単球（ＣＤ１４＋）の分離は、Ｔｈｅ  Ｒｏｃｋｅｆｅｌｌｅｒ  Ｕｎｉｖｅｒｓｉｔｙ  Ｐｒｅｓｓから出版されたＧｅｉｓｓｍａｎｎら、Ｊ．ＥＸＰ．ＭＥＤ．Ｖｏｌ  １８７，Ｎｏ  ６，１６  Ｍａｒｃｈ  １９９８，９６１−９６６ページのプロトコールに従い、以下の方法で有利に行うことができる：
−Ｆｉｃｏｌｌ（Ｒ）  ｇｒａｄｉｅｎｔ（ナトリウムジアトリゾエ―ト／密度１．０７７のポリスクロース；Ｌｙｍｐｈｏｐｒｅｐ  Ａｂｃｙｓ  １０５３９８０）を用いて遠心分離した後、上記循環血の単核の細胞を回収し、磁気ビーズに結合した抗体混合物（主として抗ＣＤ３、抗ＣＤ７、抗ＣＤ１９、抗ＣＤ４５ＲＡ、抗ＣＤ５６、抗ＩｇＥ）により間接的に標識する。
−磁気カラムを通した後、非磁性標識単球のみを溶出する。
【０１１１】
上記ＣＤ１４＋単球を、当業者には公知の任意の物理的な分離方法、及び、特に遠心沈降又は遠心分離によって溶出液の形で回収し、次の培養に用いる溶出液として溶出する。
【０１１２】
この後上記ＣＤ１４＋単球を、非働化ウシ胎児血清を１０％、並びに、２種のサイトカイン、具体的にはサイトカインＧＭ−ＣＳＦを４００ＩＵ／ｍＬ及びサイトカインＴＧＦβ１を１０ｎｇ／ｍＬの割合で最初から含んだＲＰＭＩ  １６４０培地（ローズウェルパーク記念研究所）中に約１００万個／ｍＬの割合で添加する。
【０１１３】
上記培養は、ＣＯ２を５％含んだ湿気のある空気中で３７℃において行う。
【０１１４】
上記培地は、第三のサイトカイン、具体的にはサイトカインＩＬ−１３を１０ｎｇ／ｍＬの割合で最初から添加されているものを用いる。遅くとも２日間培養する前に、培養６日目まで上記ＩＬ−１３を加えないこと以外は上記と同じ培地を追加する。６日目に、未分化で未発達の樹状細胞が産生し、これらはランゲルハンス細胞への分化経路で優先的に環境に適応することができる：
−上記ｉｎ  ｖｉｔｒｏにおいて産生する樹状細胞の約６０〜８０％は、Ｌａｎｇｅｒｉｎを細胞内レベルにおいて、及び、ＭＩＰ−３αの特異的受容体であるＣＣＲ６を発現する。
−上記ｉｎ  ｖｉｔｒｏにおいて産生する樹状細胞は、ＭＩＰ−３αによって化学的に強く引き寄せられることから、上記受容体ＣＣＲ６との相関関係が明らかである。
−上記ｉｎ  ｖｉｔｒｏにおいて産生する樹状細胞は、成熟度の標識であるＣＤ８３、ＤＣ−ＬＡＭＰ及びＣＣＲ７を発現していないため、未成熟である。
【０１１５】
●次に、下記プロトコールに従って、上記組織モデルを作る。
【０１１６】
対照細胞と呼ばれる、腹部の生検材料から抽出した繊維芽細胞２×１０５個を、実施例１に記載の方法で増幅し、この後、ｈｙｃｌｏｎｅ  ＩＩウシ血清を１０％、アスコルビン酸−２−リン酸を最終濃度１ｍＭ、ＥＧＦ（表皮成長因子）を最終濃度１０ｎｇ／ｍＬ、ペニシリンを最終濃度１００ＩＵ／ｍＬ、アンホテリシンＢを最終濃度１μｇ／ｍＬ及びゲンタマイシンを最終濃度２０μｇ／ｍＬ加えたＤＭＥＭ−Ｇｌｕｔａｍａｘ培地中のコラーゲン−グリコサミノグリカン−キトサンを基盤とする真皮の基質の上に播種して、２１日間培養する。その後、上記培地からＥＧＦを除いた培地中で更に１週間培養を続ける。
【０１１７】
次に、「対照細胞」と呼ばれる細胞を含む、腹部の生検材料から抽出し、実施例１に記載の方法で経代培養１回目（１回目の増幅）まで増幅したケラチノサイト２×１０５個、及び、ｉｎ  ｖｉｔｒｏにおいて産生する未分化樹状細胞１〜３×１０５個を、Ｈｙｃｌｏｎｅ  ＩＩウシ血清を１０％、アスコルビン酸−２−リン酸を最終濃度１ｍＭ、ＥＧＦを最終濃度１０ｎｇ／ｍＬ、ヒドロコルチゾンを最終濃度０．４μｇ／ｍＬ、ウムリン（ｕｍｕｌｉｎ）を最終濃度０．１２ＩＵ／ｍＬ、アイスプレルを最終濃度０．４μｇ／ｍＬ、トリヨードチロニンを最終濃度２×１０−９Ｍ、アデニンを最終濃度２４．３μｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ／ＨａｍＦ−１２（３／１  ｖ／ｖの割合）培地中の真皮等価物（ｄｅｒｍａｌ  ｅｑｕｉｖａｌｅｎｔｓ）上に播種して、７日間浸漬させて培養する。
【０１１８】
上記培養物はこの後、ウシ血清、ヒドロコルチゾン、アイスプレル、トリヨードチロニン及びウムリン（ｕｍｕｌｉｎ）を除く以外は上記浸漬培養に用いたものと同じ培地中で気液界面に２０日間おく。
【０１１９】
上記条件において、ランゲルハンス細胞は表皮内に、間質樹状細胞、マクロファージ及び内皮細胞は真皮内に局在している。
【０１２０】
上記細菌のリポ多糖類（ＬＰＳ）を１０ｎｇ／ｍＬの割合で６時間及び２４時間かけて上記浸漬用培地に添加する、又は、添加しない。
【０１２１】
実験の最後に、免疫担当再構成皮膚を実施例６に記載の方法でｃＤＮＡアレイによって調べる。この後、上記で集めて凍結した培地を実施例３に記載の方法でＦｌｏｒｏｋｉｎｅ  ＭＡＰにより調べる。結果は、特にインターロイキン１及びＴＮＦαによる未熟段階での制御の部分については、ｐｇ／ｍＬで表し、上記ＤＮＡアレイでのサイトカインの合成に対しては百分率（［（ストレス細胞における結果／非ストレス細胞における結果）×１００］）で示す。
【０１２２】
【表５】
2004166686.tif 000006
【０１２３】
上記結果により、インターロイキン１及びＴＮＦαが炎症反応の制御をコードする遺伝子をいくらか急速に活性化することが証明される。ラベラーＣＤ１ａ、ＣＤ４０及びＣＤ８６の場合において減少が観察されたのは、遺伝子制御の現象によるものではなく、三次元モデルに最初から存在していた樹状細胞が挿入片の下の培地中で移動した後にリポ多糖類によるストレスの影響を受けて消失することによるものである。
【０１２４】
上記本発明の方法によって、ストレスが生じた後に観察される上記様々な変化を防止又は調節することができる活性源を選択することもできる。
【０１２５】
実施例８
太陽光線を繰り返し照射することにより定めたストレスにさらされた、色素細胞を含む再構成皮膚の調製、及び、抗酸化性の活性源の効果の検討
上記で抽出した細胞は、上記で調べたストレスにさらされていない乳房の生検材料から得る。実施例１に記載の方法で経代培養５回目（トリプシン処理（ｔｒｙｐｓｉｎａｔｉｏｎ）による５回目の増幅）まで増幅した繊維芽細胞４００，０００個は、ｈｙｃｌｏｎｅ  ＩＩウシ血清を１０％、アスコルビン酸−２−リン酸を最終濃度１ｍＭ、ＥＧＦ（表皮成長因子）を最終濃度１０ｎｇ／ｍＬ、ペニシリンを最終濃度１００ＩＵ／ｍＬ、アンホテリシンＢを最終濃度１μｇ／ｍＬ及びゲンタマイシンを最終濃度２０μｇ／ｍＬ加えたＤＭＥＭ−Ｇｌｕｔａｍａｘ培地中の、浮上したコラーゲンのスポンジに基づいた真皮の基質に播種して１４日間培養する。
【０１２６】
次に、実施例１に記載の方法で経代培養２回目（トリプシン処理（ｔｒｙｐｓｉｎａｔｉｏｎ）による２回目の増幅）まで増幅したケラチノサイト４００，０００個及びメラノサイト１０，０００個は、Ｈｙｃｌｏｎｅ  ＩＩウシ血清を１０％、アスコルビン酸−２−リン酸を最終濃度１ｍＭ、ＥＧＦを最終濃度１０ｎｇ／ｍＬ、ヒドロコルチゾンを最終濃度０．４μｇ／ｍＬ、ウムリン（ｕｍｕｌｉｎ）を最終濃度０．１２ＩＵ／ｍＬ、アイスプレルを最終濃度０．４μｇ／ｍＬ、トリヨードチロニンを最終濃度２×１０−９Ｍ、アデニンを最終濃度２４．３μｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ／Ｈａｍ  Ｆ−１２（３／１  ｖ／ｖの割合）培地中の真皮等価物（ｄｅｒｍａｌ  ｅｑｕｉｖａｌｅｎｔｓ）上に播種して、７日間浸漬させて培養する。
【０１２７】
上記培養物はこの後、ウシ血清、ヒドロコルチゾン、アイスプレル、トリヨードチロニン及びウムリン（ｕｍｕｌｉｎ）を除く以外は上記浸漬培養に用いたものと同じ培地中で気液界面に１４日間おく。
【０１２８】
上記浸漬用培地を除去してｐＨ７．４のＰＢＳで置き換える操作を週に２回の割合で２週間行う。上記挿入片に存在する色素細胞を含む再構成皮膚の一部は室温に保つ。このモデルは「対照細胞」と呼ばれる細胞を含む。残りの上記挿入片に存在する色素細胞を含む再構成皮膚は、太陽光線照射器Ｓｕｎｔｅｓｔ  ＣＰＳ＋（ＡＴＬＡＳ）を用いて５６１ＫＪ／ｍ２（中欧における平均暴露時間に相当）で照射する。このモデルは「ストレス細胞」と呼ばれる細胞を含む。照射していない時は、上記再構成皮膚を、３７℃、５％ＣＯ２の条件下で浸漬用培地中で培養する。
【０１２９】
例えばＦｌａｖａｇｒｕｍ（Ｒ）（ラウリル酸ヘスペリチン、Ｃｏｌｅｔｉｃａ）、Ｆｌａｖｅｎｇｅｒ（Ｒ）（カプリル酸ケルシチン、Ｃｏｌｅｔｉｃａ）等の抗酸化活性物質を３％含む、又は、含まない化粧製剤を８μＬ、上記色素細胞を含む再構成皮膚に１０日間塗布する。
【０１３０】
上記処理の最後に、上記色素細胞を含む再構成皮膚を浸漬用培地中に更に２４時間浸漬し、上記抗酸化処理の効果を以下の調査によって評価する。
−上記「ストレス」細胞又は「対照」細胞を含む上記色素細胞を含む再構成皮膚における細胞の生存能力の調査（ＭＴＴ−メチルチアゾールテトラゾリウムを用いた試験による）（結果は、非照射のコントロールに対する変量の百分率で示す）
−Ｆｌｕｏｒｏｋｉｎｅ  ＭＡＰキットによる、実施例３に記載の方法で集めた上記培地中におけるインターロイキンの分泌の定量（結果はｐｇ／ｍＬで示す）
【０１３１】
【表６】
2004166686.tif 000007
【０１３２】
上記の本発明の方法により、ストレス（ここでは太陽光線の照射）が細胞の生存能力の低下、及び、炎症誘発性インターロイキンの合成の増加を誘導することが分かる。これより、正しく選択された活性源を用いて炎症誘発性の分子の合成を制限することは興味深いであろう。上記スクリーニングした活性源のうち、Ｆｌａｖａｇｒｕｍ（Ｒ）とＦｌａｖｅｎｇｅｒ（Ｒ）の２種には上記２つのパラメーターにおいて対照と同じレベルまで回復させる傾向があるという効果があることが示された。
【０１３３】
実施例９
再構成皮膚に対するＵＶＢの照射により定められる物理的ストレスの検討、及び、リアルタイムＲＴ−ＰＣＲによる活性源の効果の検討
再構成皮膚を実施例６に記載の方法で作る。
【０１３４】
「ストレス」細胞を含む上記試料の半分にＵＶＢを５０ｍＪ／ｃｍ２の割合で照射する。その他の試料は、上記と同じ条件下で室温で保存し、「対照」細胞を含む試料とする。次に、上記試料は活性物質（１及び３％のＦｌａｖｅｎｇｅｒ（Ｒ）、すなわちアクリル化ケルシチン、Ｃｏｌｅｔｉｃａ、フランス）の存在下、又は、非存在下で更に２４時間培養する。
【０１３５】
実験の最後に、トロポエラスチンｍＲＮＡ、Ｉ型コラーゲン及びＩＩＩ型コラーゲンの含有量を、リアルタイムＲＴ−ＰＣＲ法で評価する。この評価において、トロポエラスチン、Ｉ型コラーゲン及びＩＩＩ型コラーゲンの特異的な断片を増幅することができる２つのプライマー（それぞれセンス１８／アンチセンス１９、及び、センス１８／アンチセンス２０）、及び、アクチンシークエンスプライマー（５４１塩基対）を用いた。供給業者のプロトコールに従ってＴｒｉＲｅａｇｅｎｔ（Ｒ）（シグマ）での抽出とＲＮＡの精製を行った後、「Ｏｐｔｉｃｏｎ」システム（ＭＪリサーチ）を用いたリアルタイム定量ＲＴ−ＰＣＲ法によりＲＴ−ＰＣＲ（逆転写ポリメラーゼ連鎖反応）を行う。
【０１３６】
ＣＯＬＬ１  センス  ＣＡＧＡＧＧＧＡＡＧＣＣＧＣＡＡＧＡ
ＣＯＬＬ１  アンチセンス  ＣＴＧＧＣＣＧＣＣＡＴＡＣＴＣＧＡＡＣ
【０１３７】
ＣＯＬＬ３  センス  ＡＡＧＧＡＧＡＧＣＣＣＧＧＡＣＣＡＣ
ＣＯＬＬ３  アンチセンス  ＧＧＡＣＣＴＣＣＡＧＧＧＡＣＧＣＣＡＴＣ
【０１３８】
エラスチン  センス  ＣＣＴＴＣＣＣＣＧＣＡＧＴＴＡＣＣＴＴＴＣ
エラスチン  アンチセンス  ＧＣＡＣＧＣＣＡＣＣＴＧＧＧＴＡＴＡＣＡＣ
【０１３９】
アクチン  センス  ＧＴＧＧＧＧＣＧＣＣＣＣＡＧＧＣＡＣＣＡ
アクチン  アンチセンス  ＣＴＣＣＴＴＡＡＴＧＴＣＡＣＧＣＡＣＧＡＴＴＴＣ
【０１４０】
ウェルに導入した上記反応混合物（５０μＬ）は、それぞれの試料について以下の通りである。
−５ｎｇ／μＬの濃度のＲＮＡを１０μＬ
−上記で用いた様々なラベラーのプライマー
−反応混合物［２×（ＭｇＣｌ２を５ｍＭ含むＱｕａｎｔｉＴｅｃｔ  ＳＹＢＲＧｒｅｅｎ  ＲＴ−ＰＣＲ  ｍａｓｔｅｒ  ｍｉｘ）２５μＬ＋（ＱｕａｎｔｉＴｅｃｔ  ＲＴ  ｍｉｘ  ０．５μＬ）、キアゲン］、伸長の際にＤＮＡ二重らせんに挿入されたラベラーＳＹＢＲ  Ｇｒｅｅｎ  Ｉ。
【０１４１】
ＲＴ−ＰＣＲの条件は以下の通りである。
−逆転写：５０℃で３０分
−ＰＣＲ反応：［９４℃で１５秒、６０℃で３０秒及び７２℃で３０秒］を５０サイクル。
【０１４２】
混入がないこと及び増幅生成物の純度は、ＰＣＲ増幅生成物の融解曲線から分かる。ピークが２つあったり融解温度が正常でない生成物は除く。
【０１４３】
分析及び計算方法
上記増幅したＤＮＡ中に取り込まれた蛍光を、ＰＣＲサイクルの間連続的に評価した。この方法により蛍光測定曲線がＰＣＲサイクルの関数として得られ、これより増幅したＤＮＡの相対量を求めることができる。
【０１４４】
上記再構成皮膚中の細胞数を考慮するため、上記の結果は全てハウスキーピング遺伝子として用いたシグナル「アクチン」に従属していると考えた。
【０１４５】
上記実験によって、Ｃ（Ｔ）の測定閾値（サイクル閾値のこと）を０．０５〜０．０１の間の値であるＴについて固定し、その後測定の任意の単位をそれぞれの遺伝子について式：
Ｓｇｅｎｅ＜ｘ＞＝１０７×（１／２）Ｃ（Ｔ）ｇｅｎｅ＜ｘ＞
（Ｃ（Ｔ）ｇｅｎｅ＜ｘ＞は、遺伝子＜ｘ＞のＣ（Ｔ）の測定閾値（サイクル閾値）を示す）
によって計算する。
【０１４６】
目的の遺伝子の値は、以下の割合：
Ｒ＝Ｓｇｅｎｅ＜ｘ＞／Ｓａｃｔｉｎ
の計算により、シグナル「アクチン」に従属していると考える。
【０１４７】
上記割合を、処理した試料と未処理の試料とで比較する。
【０１４８】
【表７】
2004166686.tif 000008
【０１４９】
本発明の方法により、ストレス（ここではＵＶＢ照射）が、Ｉ型コラーゲン、ＩＩＩ型コラーゲン及びエラスチン等の細胞外マトリックスの分子の合成をコードするＲＮＡの急速な増加を誘導することが分かる。活性源Ｆｌａｖｅｎｇｅｒ（Ｒ）を用いると、分子の合成を線量依存的に回復させることによって誘導されるＵＶＢストレスの影響を制限することができる。
【０１５０】
実施例１０
再構成真皮に対する太陽光線の照射により定められる物理的ストレスの検討、及び、リアルタイム多重ＲＴ−ＰＣＲによる活性源のスクリーニング
上記再構成真皮は、３週間かけて実施例３に記載の方法で作る。
【０１５１】
再構成真皮の一部を室温に保つ。このモデルは、「対照細胞」と呼ばれる細胞を含む。残りの再構成真皮は、太陽光線照射器Ｓｕｎｔｅｓｔ  ＣＰＳ＋（ＡＴＬＡＳ）を用いて５６１ＫＪ／ｍ２（中欧における平均暴露時間に相当）で照射する。このモデルは「ストレス細胞」と呼ばれる細胞を含む。
【０１５２】
上記再構成真皮は、活性物質（３％）の存在下、又は、非存在下で照射し、その後２４時間培養する。
【０１５３】
上記ＲＮＡは最後に、実施例５に記載の方法で抽出する。
【０１５４】
上記プライマー（収量、特異性及び多重適合性）を正確に選択し、リアルタイムＲＴ−ＰＣＲの実験（成分の濃度、上記サイクルのパラメーター、蛍光の検出の条件）を最適化した後、上記潜在的なＴＧＦ及びＩ型コラーゲン（ＣＯＬ１）の遺伝子の発現を、リアルタイム多重ＲＴ−ＰＣＲにより同時に調べる。
【０１５５】
アクチンの加水分解物のプローブ（２０〜３０ｍｅｒ）は、５’末端をＪＯＥ蛍光レポーター（励起５２０−放出５４８）で、３’末端をＴＡＭＲＡのクエンチャー（アプライドバイオシステムズ、フォスターシティー、カリフォルニア）で標識する。
【０１５６】
分析する上記遺伝子の加水分解物のプローブ（２０〜３０ｍｅｒ）は、５’末端を蛍光レポーターＦＡＭ（励起４９５−放出５２０）で、３’末端をＴＡＭＲＡのクエンチャー（励起５５５−放出５７６、アプライドバイオシステムズ）で標識する。
【０１５７】
ＴＧＦ潜在的  センス  ＡＧＣＧＧＧＡＧＧＡＧＧＧＡＣＧＡＧ
ＴＧＦ潜在的  アンチセンス  ＴＧＡＧＧＧＡＣＧＣＣＧＴＧＴＡＧＧ
【０１５８】
ＣＯＬ１  センス  ＣＡＡＣＡＴＧＧＡＧＡＣＴＧＧＴＧＡＧＡＣＣＴＧＣＧＴＧＴＡ
ＣＯＬ１  アンチセンス  ＣＴＴＧＴＣＣＴＴＧＧＧＧＴＴＣＴＴＧＣＴＧＡＴＧＴＡ
【０１５９】
ＲＴ−ＰＣＲの条件は以下の通りである。
プラチナＴａｑを用いたスーパースクリプトキットワンステップＲＴ−ＰＣＲ（インビトロジェン）
ＡＢＩ  ＰＲＩＳＭ（Ｒ）  ７０００  Ｓｅｑｕｅｎｃｅ  ＤｅｔｅｃｔｉｏｎＳｙｓｔｅｍ（アプライドバイオシステムズ）
【０１６０】
反応混合物：
濃度５ｎｇ／μＬのＲＮＡを１０μＬ
２倍の反応混合物を２５μＬ
１０μＭのセンス及びアンチセンスプライマーを２．５μＬ
５０ｍＭのＭｇＳＯ４を１．８μＬ
５ｍＭのｄＮＴＰを２μＬ
１０μＭの各遺伝子対（アクチン／ＴＧＦ１、及び、アクチン／Ｉ型コラーゲン）の加水分解物を１μＬ
ＲＴ／Ｔａｑ混合物を１μＬ
水ｑｓｐを５０μＬ
【０１６１】
ＲＴ−ＰＣＲプロトコール
ＲＴ、４８℃、３０分
ＲＴの変性及びポリメラーゼの活性化、９５℃、５分、（９４℃、１５秒−６０℃、３０秒−７２℃、３０秒）を５０サイクル
【０１６２】
上記結果（Ｒ＝Ｓｇｅｎｅ＜ｘ＞）／Ｓａｃｔｉｎの割合の計算）を、実施例１０に記載の方法で分析する。上記活性物質の影響を、上記活性物質の太陽光線の照射によって誘導される潜在的なＴＧＦの活性化の増強の観点から、並びに、Ｉ型コラーゲンに与える直接的な影響及び／又は反響（放出された活性ＴＧＦ−β１を通した）という観点から分析する。複数の興味深い活性物質（小麦抽出物、Ｓｏｆｔ  Ｒｏｅ（Ｒ）、Ｃｏｌｅｔｉｃａ）についての結果を、照射していない又は活性物質で処理していないコントロールに対する百分率の変数で示す。
【０１６３】
【表８】
2004166686.tif 000009
【０１６４】
本発明の方法により、ストレス（ここでは紫外線照射）がＴＧＦβ及びＩ型コラーゲンの合成の増加を誘導することが分かる。従って、正しく選択された活性源を用いて上記のような合成の増加を模倣することは興味深いであろう。これより、選択した２種の抽出物について得た結果を示す。
【０１６５】
【表９】
2004166686.tif 000010
【０１６６】
実施例１１
皮膚の抗菌力の調節を調べるための、「ストレス」細胞及び「対照」細胞を含む再構成表皮及び単層培養の使用
抗菌ペプチドは、細菌、真菌又はウィルス等の微生物を、細胞膜を透過性にすることにより死滅させることができる小さな分子（１０〜５０アミノ酸）である。上記抗菌ペプチドの大多数は動物の上皮組織において発見されており、ここで第一免疫障壁として優勢な役割を果たしている。より具体的にヒトにおいては、上記のことは、胃腸系及び呼吸器系において、並びに、皮膚及び粘膜において明らかにされている。デフェンシンは、最も研究されている抗菌ペプチドのクラスの１つである。デフェンシンは、α−デフェンシン（典型的なものが六つある）、及び、ｈＢＤ１、ｈＢＤ２及びｈＢＤ３（ヒトβ−デフェンシン１、２及び３）の３つの形態で存在するβ−デフェンシンという２つのクラスに分類されている。
【０１６７】
細菌による攻撃（リポ多糖類又はＬＰＳ、ＴＮＦα、インターフェロンγ等）を模倣したストレスの元で、上記細胞は防御の手段として上記の分子を合成することができる。
【０１６８】
このことを明らかにするために、ケラチノサイトを単層で及び再構成表皮の形で培養するために、同様の包皮の生検材料から抽出した細胞を用いて調製する。正常なヒトケラチノサイトは、血清を含まずカルシウムを豊富に含む（最終濃度１．７ｍＭ）特定の培地中で、９６ウェル培養プレートを用いて単層培養する。
【０１６９】
８０％コンフルエンスになったところで、細胞を化学的ストレス、すなわち、ＴＮＦα（１００ｎｇ／ｍＬ）又はＩＦＮγ（１００ｎｇ／ｍＬ）等の細菌の攻撃を模倣した分子と接触させて１６時間配置する。
【０１７０】
ストレスを受けていない、すなわち上記細菌の攻撃を模倣した化学物質と接触させて配置されていないケラチノサイトを再構成表皮のモデルで用いる。
【０１７１】
１６時間後、上清を回収し、細胞をＰＢＳで洗浄した後−８０℃で凍結乾燥する。
【０１７２】
全ＲＮＡは、シリカカラム上の９６ウェル蛍光抽出キットを用いて抽出し、９６ウェル分光光度計で２６０ｎｍ及び２８０ｎｍにて測定する。ＲＮＡは５ｎｇ／μＬに希釈する。
【０１７３】
ｏｎｅ  ｓｔｅｐ定性ＲＴ−ＰＣＲを、アクチン、ｈＢＤ２及びｈＢＤ３のＲＮＡ（初期）５０ｎｇについて９６ウェル中で行う。プライマーは０．５μＭで用い、文献より導く。
【０１７４】
ｈＢＤ２センス：５’−ＣＣＡＧＣＣＡＴＣＡＧＣＣＡＴＧＡＧＧＧＴ−３’
ｈＢＤ２アンチセンス：５’−ＧＧＡＧＣＣＣＴＴＴＣＴＧＡＡＴＣＣＧＣＡ−３’（Ｈａｒｄｅｒ  Ｊ．ら、「ヒト皮膚由来の抗菌ペプチド（Ａ  ｐｅｐｔｉｄｅ  ａｎｔｉｂｉｏｔｉｃ  ｆｒｏｍ  ｈｕｍａｎ  ｓｋｉｎ．）」  Ｎａｔｕｒｅ  １９９７；３８７：８６１）
【０１７５】
ｈＢＤ３センス：５’−ＡＧＣＣＴＡＧＣＡＧＣＴＡＴＧＡＧＧＡＴＣ−３’
ｈＢＤ３アンチセンス：５’−ＣＴＴＣＧＧＣＡＧＣＡＴＴ  ＴＴＣＧＧＣＣＡ−３’
【０１７６】
アクチンセンス：５’−ＧＴＧＧＧＧＣＧＣＣＣＣＡＧＧＣＡＣＣＡ−３’
アクチンアンチセンス：５’−ＣＴＣＣＴＴＡＡＴＧＴＣＡＣＧＣＡＣＧＡＴＴＴＣ−３’（Ｈａｒｄｅｒ  Ｊ．ら、「新規のヒト誘導性抗菌ペプチドであるｈＢＤ３の単離と特徴付け（Ｉｓｏｌａｔｉｏｎ  ａｎｄ  ｃｈａｒａｃｔｅｒｉｚａｔｉｏｎ  ｏｆ  ｈＢＤ３，ａ  ｎｏｖｅｌ  ｈｕｍａｎ  ｉｎｄｕｃｉｂｌｅ  ｐｅｐｔｉｄｅ  ａｎｔｉｂｉｏｔｉｃ．）」  Ｊ．Ｂｉｏｌ．Ｃｈｅｍ．２００１；２７６：５７０７−５７１３）
【０１７７】
上記試料をサーモサイクラーに設置し、一般的な増幅プログラムに従う：５０℃、３０分；９４℃、２分；（９４℃、３０秒；６０℃、３０秒；６８℃、３０秒）をデフェンシンについて３２サイクル及びアクチンについて３０サイクル；７２℃、１０分；１４℃、無限。
【０１７８】
増幅した後、生成物を、アクチンの増幅生成物３μＬ＋ｈＢＤ２の増幅生成物６μＬ＋ｈＢＤ３の増幅生成物６μＬの割合で混合する。充填バッファーと水（２／３）の混合物５μＬを添加して最終的に２０μＬとし、あらかじめ注いでおいた２％アガロースゲルにのせる。上記試料を３０分間で電気泳動し、そのバンドを暗室で紫外線を照射して視覚化し、デジタルカメラで撮影する。
【０１７９】
スクリーニング方法の第二段階
実施例１に記載の方法で抽出した１〜２×１０６個の包皮のケラチノサイトは、Ｈｙｃｌｏｎｅ  ＩＩウシ血清を１０％、アスコルビン酸−２−リン酸を最終濃度１ｍＭ、ＥＧＦを最終濃度１０ｎｇ／ｍＬ、ヒドロコルチゾンを最終濃度０．４μｇ／ｍＬ、ウムリン（ｕｍｕｌｉｎ）を最終濃度０．１２ＩＵ／ｍＬ、アイスプレルを最終濃度０．４μｇ／ｍＬ、トリヨードチロニンを最終濃度２×１０−９Ｍ、アデニンを最終濃度２４．３μｇ／ｍＬ、ペニシリンを最終濃度１００ＩＵ／ｍＬ、アンホテリシンＢを最終濃度１μｇ／ｍＬ、ゲンタマイシンを最終濃度２０μｇ／ｍＬ加えたＤＭＥＭ−Ｇｌｕｔａｍａｘ／Ｈａｍ  Ｆ−１２（３／１  ｖ／ｖの割合）培地中で、層の下にあらかじめ繊維芽細胞の栄養分を播種してある容器型のＢｏｙｄｅｎ挿入片（空隙率０．４μｍ、直径１０ｍｍの膜）に播種し、３日間浸漬させて培養する。
【０１８０】
上記培養したケラチノサイトはこの後、ウシ血清、ヒドロコルチゾン、アイスプレル、トリヨードチロニン及びウムリン（ｕｍｕｌｉｎ）を除く以外は上記浸漬培養に用いたものと同じ培地中で気液界面に１１日間おく。
【０１８１】
実験の最後に、上記再構成表皮を以下の通りに処理する。
−試料の１つには何の処理もしない（対照細胞を含むモデル＝ネガティブコントロール）。
−試料の１つには上記活性物質での処理はしないが培養の最後に様々なストレスを与える（ストレス細胞を含むモデル＝ポジティブコントロール）、例えばＴＮＦα１００ｎｇ／ｍＬ、ＩＦＮγ１００ｎｇ／ｍＬの存在下で培養する。
−試料の１つには上記活性物質（培地中１％、２４時間）の処理を行い、その後ストレス（ポジティブコントロールと同等）を与える。
【０１８２】
この後、上記再構成表皮を活性物質の存在下又は非存在下で更に２４時間培養し、ＰＢＳ中で洗浄した後、全ＲＮＡを抽出して９６ウェル分光光度計で２６０ｎｍ及び２８０ｎｍにて測定する。上記ＲＮＡは５ｎｇ／μＬに希釈し、上記に記載の方法で処理する。
【０１８３】
分析：
上記ゲルの写真を画像処理ソフトで解析し、バンドの濃さを定量する。ｈＢＤ２／アクチン及びｈＢＤ３／アクチンのバンドの濃さの割合を、一方ではストレスを受けない状態での単層モデルと三次元モデル（再構成表皮）について、もう一方ではストレスの影響を受けた状態（ＴＮＦβ又はＩＦＮγで処理した細胞）での場合について比較する。
【０１８４】
次の表は、三次元再構成表皮モデルと比較した単層におけるｈＢＤ２及びｈＢＤ３の発現（モデルはストレスを受けていない対照細胞を用いる）を示す。
【０１８５】
【表１０】
2004166686.tif 000011
【０１８６】
次の表は、三次元再構成表皮モデルと比較した単層におけるｈＢＤ２及びｈＢＤ３の発現に与えるストレスの影響を示す。
【０１８７】
【表１１】
2004166686.tif 000012
【０１８８】
細菌の攻撃を模倣したストレスを受けている間に皮膚の細胞が示すデフェンシンの合成反応は防御反応であり、化学的な攻撃が起こらないのに皮膚のデフェンシンを刺激することができる活性源を見つけるためにはこれを模倣することが求められる。